(57)【要約】  容器が、内部領域と、内部領域に開口する口とを含むように形成される。容器は、底面と、底面に結合された側壁とを含み、底面と側壁との間に内部領域を画成する。
2014520044.tif 000002
【特許請求の範囲】
【請求項１】
スリーブ状の側壁を含む本体と、
前記本体に結合された底面であって、前記スリーブ状の側壁と前記底面とによって囲まれた内部領域を画成する底面と
を含む断熱性カップであって、前記本体が、前記本体の少なくとも１つの選択した領域において局所的な塑性変形を可能にする手段を提供するように構成された断熱気泡質の非芳香族ポリマー材料を含むシートを含み、前記断熱気泡質の非芳香族ポリマー材料を破損させずに、前記本体の前記選択された領域の第１の部分に位置する、第１の密度を有する、塑性的に変形された第１の材料セグメントと、前記本体の前記選択された領域の隣接する第２の部分に位置する、前記第１の密度を下回る第２の密度を有する第２の材料セグメントとを提供するため、前記本体に、予め定められた断熱性が維持される、断熱性カップ。
【請求項２】
前記断熱気泡質の非芳香族ポリマー材料によって局所的な塑性変形が可能にされる、前記本体の前記選択された領域の第１の領域が、前記スリーブ状の側壁にあり、および前記スリーブ状の側壁が、前記底面から上方に延在するように配置されかつ前記本体の前記選択された領域の前記第１の領域に前記第１の密度を有する前記第１の材料セグメントを提供するように構成されている直立内側タブと、前記底面から上方に延在しかつ前記直立内側タブと間にある境界面に沿って接するように配置された直立外側タブと、前記直立内側タブと外側タブを相互接続して前記内部領域を囲むように配置されかつ前記本体の前記選択された領域の前記第１の領域に前記第２の密度を有する前記第２の材料セグメントを提供しかつ前記直立内側および外側タブと協働して前記スリーブ状の側壁を形成するように構成された直立囲いとを含む、請求項１に記載の断熱性カップ。
【請求項３】
前記断熱気泡質の非芳香族ポリマー材料によって局所的な塑性変形が可能にされる、前記本体の前記選択された領域の第２の領域が、前記本体に含まれるロール状の縁にあり、前記ロール状の縁は、前記スリーブ状の側壁の上端と結合して、前記底面に対して離間しており、かつ前記内部領域への開口部の縁を形作り、および前記ロール状の縁は、前記本体の前記選択された領域の前記第２の領域に前記第１の材料セグメントを提供するように構成されかつ前記スリーブ状の側壁に含まれる前記直立外側タブの上端に結合されたロール状の内側タブと、前記スリーブ状の側壁に含まれる前記直立内側タブの上端および前記ロール状の内側タブの外向きの外面に結合されたロール状の外側タブと、前記ロール状の内側および外側タブの各々の向かい合う側縁部を相互接続するように配置されかつ前記本体の前記選択された領域の前記第２の領域に前記第２の密度を有する前記第２の材料セグメントを提供しかつ前記ロール状の内側および外側タブと協働して前記ロール状の縁を形成するように構成されたロール状のリップ部とを含む、請求項２に記載の断熱性カップ。
【請求項４】
前記断熱気泡質の非芳香族ポリマー材料によって局所的な塑性変形が可能にされる、前記本体の前記選択された領域の第３の領域が、前記本体に含まれる底面マウントにあり、前記底面マウントは、前記ロール状の縁に対して離間するように前記スリーブ状の側壁の下端と、前記底面を前記スリーブ状の側壁に対して静止位置に支持するように前記底面とに結合されて、前記内部領域を形成し、および前記底面マウントは、前記スリーブ状の側壁の前記下端に結合されかつ前記本体の前記選択された領域の前記第３の領域に前記第２の密度を有する前記第２の材料セグメントを提供するように構成されたウェブ支持リングと、前記底面に結合されかつ前記ウェブ支持リングによって囲まれるように配置された底面保持フランジと、前記底面保持フランジと前記ウェブ支持リングを相互接続するように配置されかつ前記本体の前記選択された領域の前記第３の領域に前記第１の密度を有する前記第１の材料セグメントを提供するように構成されたウェブとを含む、請求項３に記載の断熱性カップ。
【請求項５】
前記断熱気泡質の非芳香族ポリマー材料によって局所的な塑性変形が可能にされる、前記本体の前記選択された領域の第４の領域が、前記底面マウントの前記底面保持フランジにあり、前記底面保持フランジは、左右に隣り合って配置されて前記ウェブから前記スリーブ状の側壁と前記底面とで囲まれる前記内部領域の方へ上方に延在する一連の交互に厚いおよび薄い直立ステーブを含み、前記厚い直立ステーブの第１の厚い直立ステーブが、前記ウェブから前記内部領域の方へ上方に延在する右側縁部を含むように構成され、前記厚い直立ステーブの第２の厚い直立ステーブが、前記ウェブから前記内部領域の方へ上方に延在しかつ前記厚い直立ステーブの前記第１の厚い直立ステーブの前記右側縁部と離間して向かい合うように配置された左側縁部を含むように構成され、および前記薄い直立ステーブの第１の薄い直立ステーブが、前記厚い直立ステーブの前記第１の厚い直立ステーブの前記左側縁部と前記厚い直立ステーブの前記第２の厚い直立ステーブの前記右側縁部を相互接続しかつ前記左および右側縁部と協働してそれらの間に垂直チャネルを画成するように配置され、前記薄い直立ステーブの前記第１の薄い直立ステーブが、前記本体の前記選択された領域の前記第４の領域に前記第１の材料セグメントを提供するように構成され、および前記厚い直立ステーブの前記第１の厚い直立ステーブが、前記本体の前記選択された領域の前記第４の領域に前記第２の材料セグメントを提供するように構成されている、請求項４に記載の断熱性カップ。
【請求項６】
前記薄い直立ステーブの前記第１の薄い直立ステーブが、前記厚い直立ステーブの前記第１および第２の厚い直立ステーブに対して配置されて、前記垂直チャネルを、内側に、前記底面保持フランジと、前記底面に含まれかつ前記底面保持フランジの上方に配置された水平台とで囲まれた下部内部領域に開口させる、請求項５に記載の断熱性カップ。
【請求項７】
前記薄い直立ステーブの前記第１の薄い直立ステーブが、前記厚い直立ステーブの前記第１および第２の厚い直立ステーブに対して配置されて、前記垂直チャネルを、前記ウェブ支持リングの方向へ外側に開口させる、請求項５に記載の断熱性カップ。
【請求項８】
前記直立内側タブが、前記内部領域の一部分と境界を接する内表面と、前記直立外側タブの方に面する外表面とを含み、前記直立外側タブが、前記内部領域の方に向きかつ前記直立内側タブの前記外表面と接して前記直立内側タブと直立外側タブとの間に前記境界面を画成する内表面を含み、および前記直立外側タブが、さらに、前記直立内側タブから見て外方に面する外層面を含む、請求項２に記載の断熱性カップ。
【請求項９】
前記直立内側および外側タブの前記内表面および外表面の各々が、水平断面において弓形形状を有し、かつ２０°未満の鋭角に相対する、請求項８に記載の断熱性カップ。
【請求項１０】
前記直立囲いが水平断面においてＣ字形状であり、および前記直立内側タブおよび直立外側タブの各々が水平断面において弓形形状を有する、請求項２に記載の断熱性カップ。
【請求項１１】
前記直立囲いが、直立左側縁部と、前記直立左側縁部に離間して向かい合うように配置された直立右側縁部とを含み、および前記直立外側タブが、前記第１の密度を有しかつ前記直立内側タブと接してブリッジを確立するように構成され、前記ブリッジは、前記直立囲いの前記直立左側縁部と右側縁部を相互接続するように配置され、かつ前記第１の密度を有する塑性的に変形した材料で形成されている、請求項２に記載の断熱性カップ。
【請求項１２】
前記直立囲いが、前記内部領域の一部分と境界を接する内表面と、前記内部領域から見て外方に向きかつ前記直立囲いの前記内表面を囲んで前記直立囲いの前記内表面と協働してそれらの間に第１の厚さを規定する外表面とを有し、前記直立内側タブが、前記内部領域の一部分と境界を接する内表面と、前記直立外側タブの方に面する外表面とを含み、前記直立外側タブが、前記内部領域の方に向きかつ前記直立内側タブの前記外表面と接して前記直立内側タブと直立外側タブとの間に前記境界面を画成する内表面を含み、および前記直立外側タブが、さらに、前記直立内側タブから見て外方に面する外層面を含み、前記直立内側タブの前記内表面と外表面が協働して、それらの間に、前記第１の厚さのほぼ半分の第２の厚さを規定し、および前記直立外側タブの前記内表面と外表面が協働して、前記第１の厚さのほぼ半分の第３の厚さを規定する、請求項１１に記載の断熱性カップ。
【請求項１３】
前記本体が、さらに、前記断熱気泡質の非芳香族ポリマー材料を含むロール状の縁を含み、前記ロール状の縁が、前記スリーブ状の側壁の上端に結合されて、前記底面に対して離間しており、かつ前記内部領域への開口部の縁を形作り、および前記ロール状の縁が、前記第１の密度を有する前記塑性的に変形された第１の材料セグメントを提供しかつ向かい合う左側縁部および右側縁部を含むように構成されたロール状の内側タブと、前記ロール状の内側タブの前記向かい合う左側縁部と右側縁部を相互接続するように配置されかつ前記第２の密度を有する前記第２の材料セグメントを提供するように構成されたロール状のリップ部とを含む、請求項１に記載の断熱性カップ。
【請求項１４】
前記ロール状の縁が、さらに、前記ロール状の内側タブの外向きの面に結合されたロール状の外側タブを含み、前記ロール状の外側タブは、前記ロール状の内側タブを覆いかつ前記第１の密度を有する塑性的に変形した材料で形成された外殻を提供する、請求項１３に記載の断熱性カップ。
【請求項１５】
前記ロール状の外側タブが、向かい合う左側縁部および右側縁部を含み、および前記ロール状のリップ部が、前記ロール状の外側タブの前記向かい合う左側縁部と右側縁部を相互接続するように配置されている、請求項１４に記載の断熱性カップ。
【請求項１６】
前記ロール状のリップ部が水平断面においてＣ字形状であり、および前記ロール状の内側および外側タブの各々が、それらの前記向かい合う左側縁部と右側縁部との間に弓形形状を有して、円環形の前記ロール状の縁を提供する、請求項１５に記載の断熱性カップ。
【請求項１７】
前記本体が、さらに、前記断熱気泡質の非芳香族ポリマー材料を含むスリーブ状の側壁を含み、および前記スリーブ状の側壁が、前記底面から上方に延在するように配置されかつ前記第１の密度を有する前記塑性的に変形された第１の材料セグメントを提供するように構成された直立内側タブと、前記底面から上方に延在しかつ前記直立内側タブと間にある境界面に沿って接するように配置された直立外側タブと、前記直立内側タブと外側タブを相互接続して前記内部領域を囲むように配置されかつ前記第２の密度を有する前記第２の材料セグメントを提供するように構成された直立囲いとを含む、請求項１３に記載の断熱性カップ。
【請求項１８】
前記本体が、さらに、前記断熱気泡質の非芳香族ポリマー材料を含む底面マウントを含み、および前記底面マウントが、前記スリーブ状の側壁の下端に結合されかつ前記第２の密度を有する前記第２の材料セグメントを提供するように構成されたウェブ支持リングと、前記底面に結合されかつ前記ウェブ支持リングによって囲まれるように配置された底面保持フランジと、前記底面保持フランジと前記ウェブ支持リングを相互接続するように配置されかつ前記第１の密度を有する前記塑性的に変形された第１の材料セグメントを提供するように構成されたウェブとを含む、請求項１３に記載の断熱性カップ。
【請求項１９】
前記本体が、さらに、前記断熱気泡質の非芳香族ポリマー材料を含む底面保持フランジを含み、および前記底面保持フランジが、前記底面に結合され、かつ左右に隣り合って配置されて前記スリーブ状の側壁と前記底面とによって囲まれた前記内部領域の方へ上方に延在する一連の交互に厚いおよび薄い直立ステーブを含むように形成され、前記厚い直立ステーブの第１の厚い直立ステーブが、前記内部領域の方へ上方に延在する右側縁部を含むように構成され、前記厚い直立ステーブの第２の厚い直立ステーブが、前記内部領域の方へ上方に延在しかつ前記厚い直立ステーブの前記第１の厚い直立ステーブの前記右側縁部から離間して向かい合うように左側縁部を含むように構成され、および前記薄い直立ステーブの第１の薄い直立ステーブが、前記左側縁部と右側縁部を相互接続してそれらの間に垂直チャネルを画成するように配置され、前記薄い直立ステーブの前記第１の薄い直立ステーブが、前記塑性的に変形された第１の材料セグメントを提供するように構成され、および前記厚い直立ステーブの前記第１の厚い直立ステーブが、前記第２の材料セグメントを提供するように構成されている、請求項１３に記載の断熱性カップ。
【請求項２０】
前記本体が、さらに、前記断熱気泡質の非芳香族ポリマー材料を含む環状のロール状の縁を含み、前記環状のロール状の縁が、前記スリーブ状の側壁の環状の上端に結合されて前記底面に対して離間しており、かつ前記内部領域への開口部の縁を形作り、前記環状のロール状の縁が、前記第１の密度を有する前記塑性的に変形された第１の材料セグメントを提供しかつ向かい合う左および右側縁部を含むように構成されたロール状のタブを含み、および前記環状のロール状の縁が、さらに、前記スリーブ状の側壁の前記環状の上端に結合されかつ前記ロール状のタブの前記向かい合う左側縁部と右側縁部を相互接続するように配置されかつ前記第２の密度を有する前記第２の材料セグメントを提供するように構成されたロール状のリップ部を含む、請求項１に記載の断熱性カップ。
【請求項２１】
前記本体が、さらに、前記断熱気泡質の非芳香族ポリマー材料を含む底面マウントを含み、前記底面マウントが、前記スリーブ状の側壁の下端および前記底面に結合されて、前記底面を前記スリーブ状の側壁に対して静止位置に支持して前記内部領域を形成し、および前記底面マウントが、前記底面に結合された底面保持フランジと、前記スリーブ状の側壁の前記下端に結合されかつ前記底面保持フランジを囲むように配置されたウェブ支持リングと、前記底面保持フランジと前記ウェブ支持リングを相互接続するように配置されかつ前記第１の密度を有する前記塑性的に変形された第１の材料セグメントを提供するように構成されたウェブとを含み、および前記ウェブ支持リングが、前記第２の密度を有する前記第２の材料セグメントを提供するように構成されている、請求項１に記載の断熱性カップ。
【請求項２２】
前記ウェブおよび前記ウェブ支持リングの各々が円環形を有する、請求項２１に記載の断熱性カップ。
【請求項２３】
前記底面保持フランジが円環形を有する、請求項２２に記載の断熱性カップ。
【請求項２４】
前記底面保持フランジ、前記ウェブ、および前記ウェブ支持リングの各々が、前記底面と接する内面を有する内側層と、前記内側層の外面と接する、重なり合う外側層とを含む、請求項２１に記載の断熱性カップ。
【請求項２５】
前記底面が、前記内部領域の一部分と境界を接する水平台と、前記水平台に結合されかつ前記内部領域から離れて前記底面保持フランジと前記ウェブ支持リングとの間に設けられた空間の方へ下方に延在して前記底面保持フランジおよび前記ウェブ支持リングの各々と接するように配置された台支持部材とを含む、請求項２１に記載の断熱性カップ。
【請求項２６】
前記台支持部材が円環形を有し、かつ前記底面保持フランジを囲んで、前記水平台と前記ウェブとの間に設けられた環状空間に位置するように配置される、請求項２５に記載の断熱性カップ。
【請求項２７】
前記底面保持フランジ、前記ウェブ、および前記ウェブ支持リングの各々が、前記底面と接する内面を有する内側層と、前記内側層の外面と接する、重なり合う外側層とを含み、および前記底面保持フランジ、前記ウェブ、および前記ウェブ支持リングの各々の前記内側層が、前記台支持部材と接するように配置されている、請求項２５に記載の断熱性カップ。
【請求項２８】
前記本体が、さらに、前記断熱気泡質の非芳香族ポリマー材料を含むスリーブ状の側壁を含み、および前記スリーブ状の側壁が、前記底面から上方に延在するように配置されかつ前記第１の密度を有する前記塑性的に変形された第１の材料セグメントを提供するように構成された直立内側タブと、前記底面から上方に延在するように配置されかつ前記直立内側タブと間にある境界面に沿って接する直立外側タブと、前記直立内側タブと外側タブを相互接続しかつ前記内部領域を囲むように配置されかつ前記第２の密度を有する前記第２の材料セグメントを提供するように構成された直立囲いとを含む、請求項２１に記載の断熱性カップ。
【請求項２９】
前記本体が、さらに、前記断熱気泡質の非芳香族ポリマー材料を含む底面保持フランジを含み、および前記底面保持フランジは、前記底面に結合され、かつ左右に隣り合って配置されて前記スリーブ状の側壁と前記底面とで囲まれた前記内部領域の方へ上方に延在する一連の交互に厚いおよび薄い直立ステーブを含むように形成され、前記厚い直立ステーブの第１の厚い直立ステーブが、前記内部領域の方へ上方に延在する右側縁部を含むように構成され、前記厚い直立ステーブの第２の厚い直立ステーブが、前記内部領域の方へ上方に延在しかつ前記厚い直立ステーブの前記第１の厚い直立ステーブの前記右側縁部に離間して向かい合うように位置する左側縁部を含むように構成され、および前記薄い直立ステーブの第１の薄い直立ステーブが、前記左側縁部と右側縁部を相互接続してそれらの間に垂直チャネルを画成するように配置され、前記薄い直立ステーブの前記第１の薄い直立ステーブが、前記塑性的に変形された第１の材料セグメントを提供するように構成され、および前記厚い直立ステーブの前記第１の厚い直立ステーブが、前記第２の材料セグメントを提供するように構成されている、請求項２１に記載の断熱性カップ。
【請求項３０】
前記本体が、さらに、前記スリーブ状の側壁に対して静止位置に配置されかつ前記底面に結合されて前記底面を前記スリーブ状の側壁に対して静止位置に保持する底面保持フランジを含み、前記底面が、前記スリーブ状の側壁の内表面と接する外周縁部を有する水平台と、前記内部領域の一部分と境界を接する上向きの上面とを含み、および前記底面保持フランジが、互いに左右に隣り合って位置するように配置されて前記水平台の下向きの下面の方へ上方に延在する一連の交互に厚いおよび薄い直立ステーブを含み、前記厚い直立ステーブの第１の厚い直立ステーブが、前記水平台の前記下面の方へ上方に延在する右側縁部を含むように構成され、前記厚い直立ステーブの第２の厚い直立ステーブが、前記水平台の前記下面の方へ上方に延在するように配置されかつ前記厚い直立ステーブの前記第１の厚い直立ステーブの前記右側縁部に離間して向かい合うように位置する左側縁部を含むように構成され、および前記薄い直立ステーブの第１の薄い直立ステーブが、前記左側縁部と右側縁部を相互接続しかつ前記左および右側縁部と協働してそれらの間に垂直チャネルを画成するように配置され、前記薄いステーブの前記第１の薄いステーブが、前記第１の密度を有する前記第１の材料セグメントを提供するように構成され、および前記厚いステーブの前記第１の厚いステーブが、前記第２の密度を有する前記第２の材料セグメントを提供するように構成されている、請求項１に記載の断熱性カップ。
【請求項３１】
前記薄い直立ステーブの前記第１の薄い直立ステーブが、前記厚い直立ステーブの前記第１および前記第２の厚い直立ステーブに対して配置されて、前記垂直チャネルを、内側に、前記水平台と前記底面保持フランジとで囲まれた下部内部領域に開口させる、請求項３０に記載の断熱性カップ。
【請求項３２】
前記本体が、さらに、前記スリーブ状の側壁の下端に結合されかつ前記底面保持フランジを囲むように配置されたウェブ支持リングと、前記ウェブ支持リングと前記底面保持フランジを相互接続するように配置されたウェブとを含み、および前記薄い直立ステーブの前記第１の薄い直立ステーブが、前記厚い直立ステーブの前記第１および第２の厚い直立ステーブに対して配置されて、前記垂直チャネルを、前記ウェブ支持リングの方向に外側に開口させる、請求項３０に記載の断熱性カップ。
【請求項３３】
前記底面保持フランジが円環形を有し、かつ前記水平台の中心点を通る垂直に延在する中心軸を囲むように配置され、および前記薄いステーブの前記第１の薄いステーブが、前記下部内部領域を通過する前記垂直に延在する中心軸の部分の方に面する内壁を有する、請求項３０に記載の断熱性カップ。
【請求項３４】
前記底面がさらに台支持部材を含み、前記台支持部材は、前記底面保持フランジを囲み、かつ前記水平台と協働して、下向きに開口する底面空洞部を形成するように配置され、前記空洞部に前記一連の交互に厚いおよび薄い直立ステーブを含む、請求項３３に記載の断熱性カップ。
【請求項３５】
前記本体が、さらに、前記断熱気泡質の非芳香族ポリマー材料を含むスリーブ状の側壁を含み、および前記スリーブ状の側壁が、前記底面から上方に延在するように配置されかつ前記第１の密度を有する前記塑性的に変形された第１の材料セグメントを提供するように構成された直立内側タブと、前記底面から上方に延在しかつ前記直立内側タブと間にある境界面に沿って接するように配置された直立外側タブと、前記直立内側タブと外側タブを相互接続して前記内部領域を囲むように配置されかつ前記第２の密度を有する前記第２の材料セグメントを提供するように構成されている直立囲いとを含む、請求項３０に記載の断熱性カップ。
【請求項３６】
断熱気泡質の非芳香族ポリマー材料の前記シートにある前記第１の材料セグメントが、比較的薄い第１の厚さを有し、および断熱気泡質の非芳香族ポリマー材料の前記シートにある前記第２の材料セグメントが、比較的厚い第２の厚さを有する、請求項１に記載の断熱性カップ。
【請求項３７】
前記本体が、さらに、前記断熱気泡質の非芳香族ポリマー材料に接着されたニ軸延伸ポリプロピレンフィルムを含む気泡質の非芳香族スキンを含む、請求項３６に記載の断熱性カップ。
【請求項３８】
前記本体が、さらに、前記断熱気泡質の非芳香族ポリマー材料の帯条片の外面に結合されかつフィルムと、前記フィルムと前記外面との間に挟まれた接着剤と、前記フィルムに印刷されてグラフィックデザインを提供するインクとを含むように構成されたグラフィックススキンを含む、請求項１に記載の断熱性カップ。
【請求項３９】
前記フィルムがニ軸延伸ポリプロピレンである、請求項３８に記載の断熱性カップ。
【請求項４０】
前記断熱気泡質の非芳香族ポリマー材料が、高溶融強度を有するポリプロピレンベースの樹脂、ポリプロピレンコポリマー樹脂、少なくとも１種の核生成剤、および密度を低下させるように前記樹脂を膨張させるガスによる手段を含む、請求項１に記載の断熱性カップ。
【請求項４１】
前記ガスによる手段が二酸化炭素を含む、請求項４０に記載の断熱性カップ。
【請求項４２】
前記ポリプロピレンベースの樹脂が、単峰型分布によって特徴付けられる分子量分布が広範なポリプロピレンを含む、請求項４０に記載の断熱性カップ。
【請求項４３】
前記ポリプロピレンベースの樹脂がさらにポリプロピレンホモポリマー樹脂を含む、請求項４０に記載の断熱性カップ。
【請求項４４】
前記断熱気泡質の非芳香族ポリマー材料が、高溶融強度を有するポリプロピレンベースの樹脂と、ポリプロピレンホモポリマー樹脂と、少なくとも１種の核生成剤と、密度を低下させるように前記樹脂を膨張させるガスによる手段とを含む、請求項１に記載の断熱性カップ。
【請求項４５】
前記ガスによる手段が二酸化炭素を含む、請求項４４に記載の断熱性カップ。
【請求項４６】
前記ポリプロピレンベースの樹脂が、単峰型分布によって特徴付けられる分子量分布が広範なポリプロピレンを含む、請求項４４に記載の断熱性カップ。
【請求項４７】
前記断熱気泡質の非芳香族ポリマー材料が、単峰型分布によって特徴付けられる分子量分布が広範なポリプロピレンを含む、請求項１に記載の断熱性カップ。
【請求項４８】
前記第１の密度が約０．３５０ｇ／ｃｍ3であり、および前記第２の密度が約０．１７５ｇ／ｃｍ3である、請求項１に記載の断熱性カップ。
【請求項４９】
前記断熱気泡質の非芳香族ポリマー材料が、ガスで満たされた気泡を含むように形成され、および各気泡が、前記断熱気泡質の非芳香族ポリマー材料に設けられた気泡壁で囲まれ、かつ局所的な塑性変形にさらす間、非弾性的に変形可能であるように構成されている、請求項１に記載の断熱性カップ。
【請求項５０】
前記断熱気泡質の非芳香族ポリマー材料が、長鎖分岐によって特徴付けられる高溶融強度ポリプロピレンを含み、予め定められた加工性と高溶融弾性のバランスをとる、請求項１に記載の断熱性カップ。
【請求項５１】
スリーブ状の側壁を含む本体と、
前記本体に結合された底面であって、前記スリーブ状の側壁と前記底面とによって囲まれた内部領域を画成する底面と
を含む断熱性カップであって、前記本体が、前記本体の少なくとも１つの選択した領域に局所的な塑性変形を可能にする手段を提供するように構成された断熱気泡ポリマー材料を含み、前記断熱気泡ポリマー材料を破損させずに、前記本体の前記選択された領域の第１の部分に位置する、第１の密度を有する、塑性的に変形された第１の材料セグメントと、前記本体の前記選択された領域の隣接する第２の部分に位置する、前記第１の気泡体積未満の第２の密度を有する第２の材料セグメントとを提供するため、前記本体に、予め定められた断熱性が維持される、断熱性カップであって、
前記断熱気泡ポリマー材料によって局所的な塑性変形が可能にされる、前記本体の前記選択された領域のうちの１つが、前記本体に含まれる底面マウントにあり、かつ前記底面マウントは、前記ロール状の縁に対して離間するように前記スリーブ状の側壁の下端と、前記底面を前記スリーブ状の側壁に対して静止位置に支持するように前記底面とに結合されて、前記内部領域を形成し、および前記底面マウントは、前記スリーブ状の側壁の前記下端に結合されかつ前記本体の前記選択された領域のうちの前記１つに前記第２の密度を有する前記第２の材料セグメントを提供するように構成されているウェブ支持リングと、前記底面に結合されかつ前記ウェブ支持リングによって囲まれるように配置された底面保持フランジと、前記底面保持フランジと前記ウェブ支持リングを相互接続するように配置されかつ前記本体の前記選択された領域のうちの前記１つに前記第１の密度を有する前記第１の材料セグメントを提供するように構成されたウェブとを含む、断熱性カップ。
【請求項５２】
前記断熱気泡質の非芳香族ポリマー材料によって局所的な塑性変形が可能にされる、前記本体の前記選択された領域の別の領域が、前記底面マウントの前記底面保持フランジにあり、前記底面保持フランジが、左右に隣り合って配置されて前記ウェブから前記スリーブ状の側壁と前記底面とによって囲まれた前記内部領域の方へ上方に延在する一連の交互に厚いおよび薄い直立ステーブを含み、前記厚い直立ステーブの第１の厚い直立ステーブが、前記ウェブから前記内部領域の方へ上方に延在する右側縁部を含むように構成され、前記厚い直立ステーブの第２の厚い直立ステーブが、前記ウェブから前記内部領域の方へ上方に延在しかつ前記厚い直立ステーブの前記第１の厚い直立ステーブの前記右側縁部に離間して向かい合うように配置された左側縁部を含むように構成され、および前記薄い直立ステーブの第１の薄い直立ステーブが、前記厚い直立ステーブの前記第１の厚い直立ステーブの前記左側縁部と前記厚い直立ステーブの前記第２の厚い直立ステーブの前記右側縁部を相互接続しかつ前記左および右側縁部と協働してそれらの間に垂直チャネルを画成するように配置され、前記薄い直立ステーブの前記第１の薄い直立ステーブが、前記本体の前記選択された領域の別の領域に、前記第１の材料セグメントを提供するように構成され、および前記厚い直立ステーブの前記第１の厚い直立ステーブが、前記本体の前記選択された領域の別の領域に、前記第２の材料セグメントを提供するように構成されている、請求項５１に記載の断熱性カップ。
【請求項５３】
前記薄い直立ステーブの前記第１の薄い直立ステーブが、前記厚い直立ステーブの前記第１および第２の厚い直立ステーブに対して配置され、前記垂直チャネルを、前記底面保持フランジと、前記底面に含まれかつ前記底面保持フランジの上方に位置する水平台とで囲まれた下部内部領域に内側に開口させる、請求項５２に記載の断熱性カップ。
【請求項５４】
前記薄い直立ステーブの前記第１の薄い直立ステーブが、前記厚い直立ステーブの前記第１および第２の厚い直立ステーブに対して配置され、前記垂直チャネルを、前記ウェブ支持リングの方向に外側に開口させる、請求項５２に記載の断熱性カップ。
【請求項５５】
前記底面保持フランジが円環形を有し、かつ前記水平台の中心点を通る垂直に延在する中心軸を囲むように配置され、および前記薄いステーブの前記第１の薄いステーブが、前記下部内部領域を通過する前記垂直に延在する中心軸の部分の方に面する内壁を有する、請求項５２に記載の断熱性カップ。
【請求項５６】
前記底面がさらに台支持部材を含み、前記台支持部材は、前記底面保持フランジを囲み、かつ前記水平台と協働して、下向きに開口する底面空洞部を形成するように配置され、前記空洞部に前記一連の交互に厚いおよび薄い直立ステーブを含む、請求項５５に記載の断熱性カップ。
【請求項５７】
前記ウェブおよび前記ウェブ支持リングの各々が円環形を有する、請求項５１に記載の断熱性カップ。
【請求項５８】
前記底面保持フランジが円環形を有する、請求項５７に記載の断熱性カップ。
【請求項５９】
前記底面保持フランジ、前記ウェブ、および前記ウェブ支持リングの各々が、前記底面と接する内面を有する内側層と、前記内側層の外面と接する、重なり合う外側層とを含む、請求項５１に記載の断熱性カップ。
【請求項６０】
前記底面が、前記内部領域の一部分と境界を接する水平台と、前記水平台に結合されかつ前記内部領域から前記底面保持フランジと前記ウェブ支持リングとの間に設けられた空間に下方に延在して前記底面保持フランジおよび前記ウェブ支持リングの各々と接するように配置された台支持部材とを含む、請求項５１に記載の断熱性カップ。
【請求項６１】
前記台支持部材が円環形を有し、かつ前記底面保持フランジを囲んで、前記水平台と前記ウェブとの間に設けられた環状空間に位置するように配置される、請求項６０に記載の断熱性カップ。
【請求項６２】
前記底面保持フランジ、前記ウェブ、および前記ウェブ支持リングの各々が、前記底面と接する内面を有する内側層と、前記内側層の外面と接する、重なり合う外側層とを含み、および前記底面保持フランジ、前記ウェブ、および前記ウェブ支持リングの各々の前記内側層が、前記台支持部材と接するように配置される、請求項６０に記載の断熱性カップ。
【請求項６３】
第１の端部および第２の端部を含むスリーブ状の構造であって、前記第１の端部が、器の貯蔵空間への開口部を画成する、スリーブ状の構造と、
前記スリーブ状の構造の前記第２の端部に結合された底面であって、前記底面および前記スリーブ状の構造が、生産物を貯蔵するために設けられた前記貯蔵空間を画成する、底面と
を含む器であって、
前記スリーブ状の構造が、断熱気泡ポリマー材料を含むシートを含み、前記材料は、前記貯蔵空間に置かれた材料を断熱する手段を提供し、前記生産物が前記貯蔵空間内に支持されるときに前記スリーブ状の構造の形状を維持し、および局所的な塑性変形を可能にし、前記塑性変形により、前記スリーブ状の構造が、材料をまとめたりまたは断熱気泡ポリマー材料の前記シートを破損させたりせずに、前記断熱気泡ポリマー材料を前記スリーブ状の構造に取り入れることができるように形成されるとき、前記断熱気泡ポリマー材料に、前記断熱気泡ポリマー材料を集めることを可能にする特徴を形成する、器。
【請求項６４】
前記スリーブ状の構造が、さらに、前記断熱気泡ポリマー材料に接着されたニ軸延伸ポリプロピレンシートを含むスキンを含む、請求項６３に記載の器。
【請求項６５】
前記断熱気泡ポリマー材料が高溶融強度ポリプロピレンを含む、請求項６４に記載の器。
【請求項６６】
前記スリーブ状の構造が、第１の端部および第２の端部を画成する細長い壁を含み、前記細長い壁が、第１のほぼ均一な厚さおよび第１の密度を有する第１の部分と、前記第１のほぼ均一な厚さよりも厚みのある第２のほぼ均一な厚さおよび前記第１の密度とは異なりかつそれを下回る第２の密度を有する第２の部分と、前記第１のほぼ均一な厚さよりも厚みのある第３のほぼ均一な厚さおよび前記第１の密度とは異なりかつそれを下回る第３の密度を有する第３の部分とを含み、および前記第２および第３の部分は、互いに対して配置され、かつ前記第１の部分によって相互接続されて、前記細長い壁の少なくとも一部分を形成する、請求項６４に記載の器。
【請求項６７】
前記スリーブ状の構造が、第１の端部および第２の端部を画成する細長い壁を含み、前記細長い壁が、第１のほぼ均一な厚さおよび第１の密度を有する第１の部分と、第２のほぼ均一な厚さおよび前記第１の密度とは異なりかつそれを下回る第２の密度を有する第２の部分と、第３のほぼ均一な厚さおよび前記第１の密度とは異なりかつそれを下回る第３の密度を有する第３の部分とを含み、および前記第２および第３の部分が、互いに対して配置され、かつ前記第１の部分によって相互接続されて、前記細長い壁の少なくとも一部分を形成する、請求項６３に記載の器。
【請求項６８】
断熱気泡質の非芳香族ポリマー材料を含む側壁であって、前記側壁が第１の端部および第２の端部を画成し、前記細長い壁が、囲いを提供しかつ第１のほぼ均一な厚さおよび第１の密度を有する第１の部分と、前記第１の部分の一方の端部に結合された内側タブを提供しかつ第２のほぼ均一な厚さおよび前記第１の密度とは異なる第２の密度を有する第２の部分と、前記第１の部分の対向端部に結合された外側タブを提供しかつ第３のほぼ均一な厚さおよび前記第１の密度とは異なる第３の密度を有する第３の部分とを含み、前記第２および第３の部分が、互いに対して配置されて、前記側壁の少なくとも一部分を形成し、前記第１の部分の前記各端部を相互接続するブリッジを提供している、側壁と、
前記第２の端部に近接した前記側壁に結合された支持構造であって、前記側壁から延在する支持フランジを含む支持構造と、
前記支持構造および前記側壁に係合されて、器に、前記側壁の前記第１の端部からアクセス可能な貯蔵空間を画成する底面であって、前記底面が前記支持フランジによって支持されて、前記器が前記側壁の前記第２の端部に支持されているとき、前記貯蔵空間に位置決めされた材料を支持する底面と
を含む器。
【請求項６９】
前記側壁が、断熱気泡質の非芳香族ポリマー材料基材を含み、かつシームを有し、前記シームは、前記シームに隣接する隣接部分よりも高い密度を有して、前記シームの堅牢性を、前記側壁の隣接部分と比較して高くし、および前記シームは、前記側壁の前記隣接部分と実質的に同じ厚さに圧縮されて、積み重ねられた組の断熱性カップの所与の長さにおいて、より多数の断熱性カップを入れ子状態にできるようにする、請求項６８に記載の器。
【請求項７０】
前記断熱気泡質の非芳香族ポリマー材料が、高溶融強度を有するポリプロピレンベースの樹脂と、ポリプロピレンコポリマーおよびポリプロピレンホモポリマー樹脂の少なくとも一方とを含み、前記２種類の樹脂は、少なくとも１種の核生成剤とブレンドされ、かつ前記樹脂ブレンドに注入されて前記樹脂を膨張させて密度を低下させる二酸化炭素を含む発泡剤とブレンドされている、請求項６８に記載の器。
【請求項７１】
前記ベース樹脂が、単峰型の分布によって特徴づけられる分子量分布が広範なポリプロピレンを有するベース樹脂を含む、請求項７０に記載の器。
【請求項７２】
前記底面が、断熱気泡質の非芳香族ポリマー材料を含み、および前記第２の密度が前記第１の密度を上回っている、請求項６８に記載の器。
【請求項７３】
前記第３の密度が前記第１の密度を上回っている、請求項７２に記載の器。
【請求項７４】
前記支持フランジが、前記支持フランジに形成された複数の窪みを含み、前記底面と係合するときの前記支持フランジの集まりを制御する、請求項６３に記載の器。
【請求項７５】
前記器が、さらに、前記側壁に結合されたロール状の縁を含み、および前記ロール状の縁が、前記側壁の前記第１の壁厚さＴ１とほぼ等しい第１の縁の厚さＢ１と、前記第２の壁厚さＴ２とほぼ等しい、比較的薄い第２の縁の厚さＢ２とを含む、請求項６９に記載の器。
【請求項７６】
前記第２および第３の部分が各々圧縮されて、前記厚さが約５０パーセント薄くされる、請求項６８に記載の器。
【請求項７７】
前記支持構造が断熱気泡ポリマー材料を含む、請求項６８に記載の器。
【請求項７８】
前記支持構造が、前記支持フランジの内周面に形成された複数の窪みを含み、および各窪みが、前記支持構造に、より高い密度の局所的な領域を含む、請求項７７に記載の器。
【請求項７９】
前記器がさらに第１の結合器を含み、前記支持構造が、前記第１の結合器によって前記側壁に固定され、および前記第１の結合器の密度が、前記第１の結合器に隣接する前記側壁の部分よりも高い、請求項７８に記載の器。
【請求項８０】
前記第１の結合器の前記密度が、前記第１の結合器に隣接する前記支持構造の部分の前記密度よりも高い、請求項７９に記載の器。
【請求項８１】
前記側壁が、断熱気泡ポリマー材料、フィルム層、前記フィルム層に印刷されたインク層、および前記フィルムおよびインク層と前記断熱気泡ポリマー材料を相互接続する接着剤層を含む、請求項８０に記載のシート。
【請求項８２】
前記フィルム層がニ軸延伸ポリプロピレンを含む、請求項８１に記載のシート。
【発明の詳細な説明】
【技術分野】
【０００１】
参考文献の相互参照
本出願は、３５  Ｕ．Ｓ．Ｃ．§  １１９（ｅ）下において、２０１１年６月１７日出
願の米国仮特許出願第６１／４９８，４５５号明細書、および２０１２年３月３０日出願
の米国仮特許出願第６１／６１８，５８７号明細書の優先権を主張し、これらを参照する
ことにより明白に本書に援用する。
【０００２】
本開示は、器、特に熱いまた冷たい飲料または食品を入れるためのカップなどの断熱容器に関する。より具体的には、本開示は、ポリマー材料から形成された断熱カップに関する。
【発明の概要】
【課題を解決するための手段】
【０００３】
本開示による器は、内部領域に生産物を保持するように構成される。例示的実施形態では、器は、飲料カップ、食品保存用カップ、またはデザートカップなどの断熱容器である。
【０００４】
例示的実施形態では、断熱性カップは、スリーブ状の側壁を有する本体と、本体に結合されかつ側壁と協働して、食品、液体、または任意の好適な生産物を貯蔵する内部領域を形成する底面とを含む。本体はまた、側壁の上端に結合されたロール状の縁と、側壁の下端および底面に結合された底面マウントとを含む。
【０００５】
例示的実施形態では、本体は、断熱気泡質の非芳香族ポリマー材料を含むシートで作製される。本開示の一部の実施形態では、本体は、断熱気泡質の非芳香族ポリマー材料を含む基材層と、基材層に結合されかつイラストおよびテキストを表示するように構成されたスキンを含む外側層とを含む多層シートで作製される。本開示の他の実施形態では、そのようなテキストおよびイラストを、断熱気泡質の非芳香族ポリマー材料の外面に直接印刷する。例示的実施形態では、底面も、断熱気泡質の非芳香族ポリマー材料を含む。
【０００６】
本体に含まれる断熱気泡質の非芳香族ポリマー材料は、本開示に従って、本体の少なくとも１つの選択した領域（例えば、側壁、ロール状の縁、底面マウント、および底面マウントに含まれる底面保持フランジ）の局所的な塑性変形を可能にする手段を提供するように構成され、（１）本体の選択された領域の第１の部分に第１の密度を有する、塑性的に変形された第１の材料セグメント、および（２）本体の選択された領域の隣接する第２の部分に比較的低い第２の密度を有する、第２の材料セグメントを提供する。例示的実施形態では、より高密度な第１の材料セグメントは、第２の材料セグメントよりも薄い。
【０００７】
例示的実施形態では、断熱気泡質の非芳香族ポリマー材料は、高溶融強度を有するポリプロピレンベースの樹脂と、ポリプロピレンコポリマーまたはホモポリマー樹脂（または双方）と、一次および二次核形成剤、および樹脂に注入されて樹脂を膨張させかつ密度を低下させる二酸化炭素ガスなどの発泡剤を含む気泡形成剤とを含む。ベース樹脂は、単峰型分布（二峰性ではない）によって特徴付けられる分子量分布が広範なポリプロピレンを含む。
【０００８】
例示的実施形態では、スキンは、断熱気泡質の非芳香族ポリマー材料の外面に結合される。スキンは、フィルム、フィルムと断熱気泡質の非芳香族ポリマー材料の外面との間に挟まれた接着剤、およびフィルムに印刷されて、イラスト、テキスト、またはそれら双方を含むグラフィックデザインを提供するインクを含む。例示的実施形態では、フィルムはニ軸延伸ポリプロピレンである。
【０００９】
本開示の追加的な特徴が、ここで認識されるような開示を実施する最良の態様を例示する、例示的実施形態を考慮することにより、当業者に明らかとなる。
【００１０】
詳細な説明は、特に、添付の図面を参照する。
【図面の簡単な説明】
【００１１】
【図１】本開示による断熱性カップの斜視図であり、断熱性カップが、本体と、底面とを含むことを示し、および本体の４つの領域が、本体に予め定められた断熱性を維持しながら、密度が高められている局所的な塑性変形領域を含んでいることを示す。
【図１Ａ】図１の断熱性カップの本体に含まれる側壁の一部分の拡大断面図であり、側壁が、左から右へ、スキン、インク層、接着剤層、および断熱気泡質の非芳香族ポリマー材料を含むシートから作製されていることを示す。
【図２】図２の断熱性カップの分解組立図であり、断熱性カップが、上から下へ、底面、およびロール状の縁と、側壁と、図１に示すように底面と接する（ｍａｔｅ）ように構成された支持構造とを含む本体を含むことを示す。
【図３】図２の線３−３に沿って取った断面図であり、断熱性カップの本体に含まれる側壁が、ほぼ均一な厚さを有することを示し、および底面が、本体に含まれる底面マウントに結合されていることを示す。図３Ａ−Ｄは局所的な塑性変形をそれぞれ含む、図１の断熱性カップの第１、第２、第３、および第４の領域を示す一連の図である。
【図３Ａ】第１の領域が本体の側壁にあることを示す、図１の線３−３に沿って取った部分的な断面図である。
【図３Ｂ】第２の領域が本体のロール状の縁にあることを示す、図１の線３−３に沿って取った部分的な断面図である。
【図３Ｃ】第３の領域が、本体の底面マウントに含まれる接続ウェブにあることを示す、図１の線３−３に沿って取った部分的な断面図である。
【図３Ｄ】第４の領域が、本体の底面マウントに含まれるウェブ支持リングにあることを示す、図１の線３−３に沿って取った部分的な断面図ある。
【図４】図１の線４−４に沿って取ったデッドセクション（ｄｅａｄ  ｓｅｃｔｉｏｎ）図であり、断熱性カップの側壁が、Ｃ字形状の囲いすなわちフェンスと、Ｃ字形状の囲いの一方の端部に結合された直立外側タブと、Ｃ字形状の囲いの対向端部に結合された直立内側タブとを含むことを示し、および第１および第２のタブが互いに重なり合って、Ｃ字形状の囲いの各端部間に延在するブリッジすなわち橋絡部を確立し、それらの間に内部領域を画成するように配置されていることを提案している。
【図４Ａ】本開示によるブリッジの拡大デッドセクション図であり、第１および第２のタブの双方において断熱気泡質の非芳香族ポリマー材料を圧縮して、ブリッジに対向するＣ字形状の囲いにおける側壁の厚さと同様の厚さにブリッジを薄くして生成した方法を示す。
【図４Ｂ】図４ＡのＣ字形状の囲いの一部分の拡大デッドセクション図であり、断熱気泡質の非芳香族ポリマー材料が圧縮されていないことを示す。
【図４Ｃ】第１および第２のタブが互いに接してブリッジを確立する前の、それらタブの拡大デッドセクション図である。
【図５】図４Ａと同様の拡大図である。
【図６】局所的な塑性変形の第２の領域を示す、図１、図３、および図３Ｂのロール状の縁のデッドセクションの線図である。
【図６Ａ】図１の断熱性カップと、蓋との組み合わせの部分的な断面図であり、図６Ｂで提案するように、蓋が、断熱性カップのロール状の縁と接するへりを含むことを示す。
【図６Ｂ】蓋がカップと接するため、蓋のへりが断熱性カップのロール状の縁と係合して、内部領域へ開口する口を閉鎖している状態の、蓋および図５の断熱性カップの部分的な断面図である。
【図７】図１、図３、および図３Ｃの断熱性カップの部分的な拡大立面図であり、底面が、底面マウントによって側壁に結合され、および底面マウントが、側壁に結合されたウェブ支持リングと、ウェブ支持リングから半径方向に離間した底面保持フランジと、ウェブ支持リングと底面保持フランジを相互接続する接続ウェブとを含むことを示す。
【図７Ａ】本開示による断熱性カップの一部分のデッドセクション図であり、底面マウント接続ウェブにある、断熱気泡質の非芳香族ポリマー材料の局所的な塑性変形の第３の領域を示し、および底面保持フランジと底面の一部分との間の境界面に沿った断熱気泡質の非芳香族ポリマー材料の溶融を示す。
【図８】図７Ａと同様の拡大図である。
【図９】図１、図３および図３Ｄの断熱性カップの部分的な拡大立面図であり、局所的な塑性変形の第４の領域が、底面保持フランジに形成され、かつ底面保持フランジのそれぞれ隣接する厚いセクション間に形成されたチャネルを含むことを示す。
【図９Ａ】図３Ｄと同様の図であり、底面保持フランジの交互に厚いおよび薄いセクションを示す。
【図９Ｂ】本開示による底面保持フランジの一部分のデッドセクション図であり、チャネルが、底面保持フランジの２つの隣接する厚いセクション間に形成されていることを示す。
【図１０】図９Ｂと同様の拡大図である。
【図１１】図１０のチャネルの拡大図であり、断熱気泡質の非芳香族ポリマー材料が、ガスで満たされた気泡を含むように形成され、各気泡が、隣接する気泡と共有する気泡壁で囲まれており、および気泡壁が、図１５〜１９で提案するようなカップ形成プロセスの最中に変形されて、局所的な塑性変形の領域において密度を高めていることを示す。
【図１２Ａ】図１の本体を作製するために使用される本体ブランクの平面図であり、本体ブランクが、断熱気泡質の非芳香族ポリマー材料の帯条片と、断熱気泡質の非芳香族ポリマー材料の帯条片に積層されたスキンとから形成されていることを示すために、複数の部分を切り欠いた状態であり、およびブランク形成プロセスの最中に、ウェブ形成部分が、弓状の折り目に沿って本体ブランクの一部分を圧縮して接続ウェブを形成し、およびステーブ（ｓｔａｖｅ）形成部分が、弓状の折り目と下部アーチ形縁部との間の本体ブランクの別の部分を圧縮して、弓状の折り目と第２の下部アーチ形縁部との間に延在する一連の交互に厚いおよび薄いステーブを形成していることを提案している。
【図１２Ｂ】ブランク形成プロセス実施後の、図１２Ａと同様の図であり、接続ウェブおよびステーブの双方が本体ブランクに形成されていることを示す。
【図１２Ｃ】本開示による本体ブランクの別の実施形態の平面図であり、本体ブランクが、断熱気泡質の非芳香族ポリマー材料のみを含むシートから形成されていることを示す。
【図１３】図１２Ｂの側壁ブランクの部分的な拡大平面図であり、弓状の折り目と、底面保持フランジにチャネルを画成するように協働する交互に厚いおよび薄いステーブとを示す。
【図１４】図１３の線１４−１４に沿って取ったデッドセクション図であり、側壁ブランクに含まれる底面保持フランジの隣接する対の厚いセクション間に形成されたいくつものチャネルを示す。
【図１５】温度試験を受けている、本開示による断熱性カップの経時による性能を示すグラフである。
【図１６】本開示によるカップ製造プロセスの斜視図を含む線図であり、カップ製造プロセスが、積層シートの積層ロールを提供すること、図１７〜１９に詳細を提案するように断熱性カップを形成すること、および図２０に詳細を提案するように断熱性カップのスタックを梱包することを含むことを示し、および断熱性カップの形成が、図１７に詳細を提案するように本体ブランクを形成するステップ、本体ブランクをアニーリングするステップ、図１８に詳細を提案するようにカップベースを形成するステップ、および図１９に詳細を提案するようにロール状の縁を形成するステップを含むことを示す。
【図１７】本体ブランク形成段階の斜視図を含む線図であり、本体ブランク形成段階が、積層ロールを装填して積層シートを提供するステップ、積層シートをアニーリングするステップ、積層シートを圧縮して、圧縮シートを形成するステップ、圧縮シートを裁断して、本体ブランクおよびスクラップを形成するステップ、スクラップを収集するステップ、および本体ブランクを積み重ねて本体ブランクのスタックを形成するステップを含むことを示す。
【図１８】カップベース形成段階の斜視図を含む線図であり、カップベース形成段階が、本体ブランクのスタックを装填するステップ、本体ブランクを加熱するステップ、本体ブランクをマンドレルの周りに巻き付けるステップ、本体を形成するステップ、別の積層ロールを装填して積層シートを提供するステップ、積層シートを裁断して、底面ブランクおよびスクラップを形成するステップ、底面ブランクを底面に付形するステップ、底面を加熱するステップ、本体を加熱するステップ、底面の周りに本体を巻き付けるステップ、および底面をベースに結合してカップ本体を確立するステップを含むことを示す。
【図１９】縁形成段階の斜視図を含む線図であり、縁形成段階が、カップベースを縁成形機に移送するステップ、任意選択的にベースの上部を潤滑にするステップ、ベースの上部を加熱するステップ、およびベースの上部をロール状にして、ロール状の縁を有する断熱性カップを形成するステップを含むことを示す。
【図２０】カップ梱包段階の斜視図を含む線図であり、カップ梱包段階が、漏れに関して断熱性カップを検査するステップ、良品のカップを積み重ねて、断熱性カップのスタックを形成するステップ、および断熱性カップのスタックを、保管および輸送のために梱包するステップを含むことを示す。
【図２１】本開示による本体ブランクの別の実施形態の平面図であり、本体ブランクが、第１の上部アーチ形縁部と、第２の下部アーチ形縁部と、それらの間の弓状の折り目と、弓状の折り目と第２の下部アーチ形縁部との間に延在し、かつロール状の縁を形成するように本体ブランクが重なり合う部分の断熱気泡質の非芳香族ポリマー材料の厚さを薄くするように圧縮された縁タブを含む一連の離間したチャネルとを含むことを示す。
【図２２】図２１の線２２−２２に沿って取った断面図である。
【図２３】本開示による本体ブランクのさらに別の実施形態の平面図であり、本体ブランクが、第１の上部アーチ形縁部と、第２の下部アーチ形縁部と、それらの間の弓状の折り目と、弓状の折り目と第２の下部アーチ形縁部との間に延在する一連の離間したチャネルと、ブリッジを形成するように本体ブランクが重なり合う部分の材料の厚さを薄くするように、本体を形成する前に圧縮された第１および第２のタブとを含むことを示す。
【図２４】図２３の線２４−２４に沿って取った断面図である。
【図２５】本開示による断熱性カップの別の実施形態の斜視図であり、断熱性カップが、ロール状の縁、側壁、および底面マウントを含む本体と、支持構造および側壁の底部の双方に結合された底面とを含むことを示し、および側壁の各部分が圧縮されて、側壁の圧縮された部分から外側に延在するいくつものリブを形成していることを示す。
【図２６】図２５に示す断熱性カップの本体を形成するために使用された本体ブランクの平面図であり、本体ブランクが、第１の上部アーチ形縁部と、第２の下部アーチ形縁部と、それらの間の弓状の折り目と、弓状の折り目と第２の下部アーチ形縁部との間に延在する一連の離間したチャネルと、使用者の手とカップの外表面との間の接触表面積を小さくするために、間にリブを確立する側壁の圧縮された部分とを含むことを示す。
【図２７】図２６の線２７−２７に沿って取った断面図である。
【図２８】本開示による断熱性カップのさらに別の実施形態の斜視図であり、断熱性カップが、ロール状の縁、側壁、および底面マウントを含む本体と、支持構造および側壁の底部の双方に結合された底面とを含むことを示し、および側壁の変位部分の結果として、側壁に形成されたいくつもの突出するリブを示す。
【図２９】図２８に示す断熱性カップの本体を作製するために使用された本体ブランクの平面図であり、本体ブランクが、第１の上部アーチ形縁部と、第２の下部アーチ形縁部と、それらの間の弓状の折り目と、弓状の折り目と第２の下部アーチ形縁部との間に延在する一連の離間したチャネルと、材料を変位させて、使用者の手とカップの外表面との間の接触表面積を小さくするために使用されるリブを形成する結果として形成された、突出するリブとを含むことを示す。
【図３０】図２９の線３０−３０に沿って取った断面図である。
【図３１】図３０の拡大した部分であり、材料が側壁において変位されて、リブを形成していることを示す。
【図３２】本開示によるロール状の縁の別の実施形態のデッドセクション図であり、ロール状の縁が、全体にわたってほぼ一定の厚さを有することを示す。
【図３３】本開示によるロール状の縁のさらに別の実施形態のデッドセクション図であり、ロール状の縁が、ロール状の縁の自由端に向かって比較的薄くなる厚さを含むことを示す。
【図３４】本開示によるロール状の縁のさらに別の実施形態のデッドセクション図であり、ロール状の縁が、それ自体にロール状にされて、全体的にロール状の縁には空間が形成されないことを示す。
【図３５】本開示による断熱性カップの別の実施形態の部分的な拡大立面図であり、底面保持フランジの内周面にチャネルが形成されるため、断熱性カップの組み立て時にチャネルが隠される、局所的な塑性変形の第４の領域を示す。
【図３６】図３５と同様の底面の部分的な拡大立面図であり、断熱性カップに含まれる底面マウントと接する底面を示し、およびチャネルが、互いに、接続ウェブから、および底面から離間していることを示す。
【図３７】図１Ａと同様の図であり、上から下へ、フィルム、インク層、接着剤層を含むスキンと、断熱気泡質の非芳香族ポリマー材料の帯条片とを含むシートの実施形態を示す。
【図３８】図３７と同様の図であり、上から下へ、フィルム、インク層、および接着剤層を含む外側スキンと、断熱気泡質の非芳香族ポリマー材料の帯条片と、フィルム、インク層、および接着剤層を含む内側スキンとを含むシートの別の実施形態を示す。
【発明を実施するための形態】
【００１２】
図１および図３〜３Ｄで提案するように、本開示に従って、例えば、断熱気泡質の非芳香族ポリマー材料を含む断熱性カップ１０の本体１１の４つの領域１０１、１０２、１０３、および１０４に、局所的な塑性変形がもたらされる。材料は、例えば、外部圧縮荷重を受けたことに応答して形状が変化して永久歪みを生じ塑性的に変形され、その新しい形状は、荷重が除去された後も保たれる。本明細書で説明する断熱性カップ１０は、紙カップではなく、熱いおよび冷たい内容物を保持するのに好適な断熱の質を備える気泡質の非芳香族ポリマー材料製のカップである。
【００１３】
図１および図２〜１１に、本開示に従って、局所的な塑性変形によって、断熱性カップ１０の隣接セグメントよりも材料密度の高い断熱性カップ１０のセグメントを提供する４つの領域１０１〜１０４を有する断熱性カップ１０の第１の実施形態を示す。一例として、断熱性カップ１０は、図１２〜１４に示す例示的な本体ブランク５００を使用して作製される。図１６〜２０に、本体ブランク５００および断熱性カップ１０を作製するカップ製造プロセス４０を示す。図２１〜３１に、断熱性カップを形成するために使用し得る、本開示による本体ブランク８００、８２０、８３６、および８５６の他の実施形態を示す。図３２〜３４に、様々な断熱性カップと共に使用し得るロール状の縁１６Ａ、１６Ｂ、１６Ｃを示す。図１Ａおよび図３７に、断熱性カップ１０を形成するために使用される断熱気泡質の非芳香族ポリマー材料の第１の実施形態を示す。図３８に、本開示による断熱気泡質の非芳香族ポリマー材料の別の実施形態を示す。
【００１４】
例えば、図１に示すように、断熱性カップ１０は、スリーブ状の側壁１８を含む本体１１と、本体１１に結合された底面２０とを含み、スリーブ状の側壁１８と底面２０とによって囲まれた内部領域１４を画成する。図１〜３で提案するように、本体１１は、さらに、側壁１８の上端に結合されたロール状の縁１６と、側壁１８の下端に結合された底面マウント１７とを含む。
【００１５】
本明細書で説明するように、本体１１は、断熱気泡質の非芳香族ポリマー材料の帯条片から形成される。本開示によれば、断熱気泡質の非芳香族ポリマー材料の帯条片は、本体１１の少なくとも１つの選択された領域（例えば、領域１０１〜１０４）の局所的な塑性変形を可能にする手段を提供するように構成され（圧力を加えることによって−熱を加えてまたは熱を加えずに）、断熱気泡質の非芳香族ポリマー材料を破損させずに、本体１１の選択された領域の第１の部分に位置する、第１の密度を有する、塑性的に変形された第１の材料セグメントと、本体１１の選択された領域の隣接する第２の部分に位置する、第１の密度を下回る第２の密度を有する第２の材料セグメントとを提供するため、本体１１に、予め定められた断熱性が維持される。
【００１６】
図１、図３Ａ、および図４で提案するように、断熱気泡質の非芳香族ポリマー材料によって局所的な塑性変形が可能にされる、本体１１の選択された領域の第１の領域１０１は、スリーブ状の側壁１８にある。図１、図３、および図４で提案するように、スリーブ状の側壁１８は、直立内側タブ５１４、直立外側タブ５１２、および内側タブ５１４と外側タブ５１２との間に延在する直立囲い５１３を含む。直立内側タブ５１４は、底面２０から上方に延在するように配置され、かつ本体１１の選択された領域の第１の領域１０１に、より高い第１の密度を有する第１の材料セグメントを提供するように構成される。図４で提案するように、直立外側タブ５１２は、底面２０から上方に延在し、かつ直立内側タブ５１４と、それら両タブの間の境界面Ｉに沿って接する（ｍａｔｅ）ように配置される。直立囲い５１３は、直立内側タブ５１４と直立外側タブ５１２を相互接続して内部領域１４を囲むように配置される。図３および図４で提案するように、直立囲い５１３は、本体１１の選択された領域の第１の領域１０１に、より低い第２の密度を有する第２の材料セグメントを提供し、かつ直立内側および外側タブ５１４、５１２と協働してスリーブ状の側壁１８を形成するように構成される。
【００１７】
図１、図３Ｂ、および図６で提案するように、断熱気泡質の非芳香族ポリマー材料によって局所的な塑性変形が可能にされる、本体１１の選択された領域の第２の領域１０２は、本体１１に含まれるロール状の縁１６にある。ロール状の縁１６は、スリーブ状の側壁１８の上端に結合され、底面２０から離間しており、かつ内部領域１４への開口部の縁を形作る。図１、図３、および図６で提案するように、ロール状の縁１６は、ロール状の内側タブ１６４、ロール状の外側タブ１６２、およびロール状のリップ部１６３を含む。ロール状の内側タブ１６４は、本体１１の選択された領域の第２の領域１０２に、より高い第１の密度を有する第１の材料セグメントを提供するように構成される。ロール状の内側タブ１６４は、スリーブ状の側壁１８に含まれる直立外側タブ５１２の上端に結合される。ロール状の外側タブ１６２は、スリーブ状の側壁１８に含まれる直立内側タブ５１４の上端と、ロール状の内側タブ１６４の外向きの外面とに結合される。ロール状のリップ部１６３は、ロール状の内側および外側タブ１６４、１６２の各々の向かい合う側縁部を相互接続するように配置される。図１で提案するように、ロール状のリップ部１６３は、本体１１の選択された領域の第２の領域１０２に、より低い第２の密度を有する第２の材料セグメントを提供し、かつロール状の内側および外側タブ１６４、１６２と協働してロール状の縁１６を形成するように構成される。
【００１８】
図１、図３Ｃ、図７、および図７Ａで提案するように、断熱気泡質の非芳香族ポリマー材料によって局所的な塑性変形が可能にされる、本体１１の選択された領域の第３の領域１０３は、本体１１に含まれる底面マウント１７にある。底面マウント１７は、ロール状の縁１６から離間するようにスリーブ状の側壁１８の下端と、スリーブ状の側壁１８に対して静止位置に底面２０を支持するように底面２０とに結合されて、内部領域１４を形成する。図３で提案するように、底面マウント１７は、ウェブ支持リング１２６、底面保持フランジ２６、およびウェブ支持リング１２６と底面保持フランジ２６との間に延在する接続ウェブ２５を含む。ウェブ支持リング１２６は、スリーブ状の側壁１８の下端に結合され、かつ本体１１の選択された領域の第３の領域１０３に、より低い第２の密度を有する第２の材料セグメントを提供するように構成される。図３で提案するように、底面保持フランジ２６は、底面２０に結合され、かつウェブ支持リング１２６によって囲まれるように配置される。接続ウェブ２５は、底面保持フランジ２６とウェブ支持リング１２６を相互接続するように配置される。接続ウェブ２５は、本体１１の選択された領域の第３の領域１０３に、より高い第１の密度を有する第１の材料セグメントを提供するように構成される。例示的実施形態では、接続ウェブ２５は、図１６〜２０で提案するように断熱性カップ１０を画成するように本体ブランク５００が形成される前に、本体ブランク５００に前もって作られる。
【００１９】
図１、図３Ｄ、図９、図９Ａ、および図９Ｂで提案するように、断熱気泡質の非芳香族ポリマー材料によって局所的な塑性変形が可能にされる、本体１１の選択された領域の第４の領域１０４は、底面マウント１７の底面保持フランジ２６にある。底面保持フランジ２６は、一連の交互に厚いおよび薄い直立ステーブ（すなわち凹部と凸部）を含み、これらステーブは、左右に隣り合って配置されて、接続ウェブ２５から、スリーブ状の側壁１８と底面２０とで囲まれる内部領域１４の方へ上方に延在する。例示的実施形態では、この一連の交互に厚いおよび薄いステーブは、図１６〜２０で提案するように断熱性カップ１０を画成するように本体ブランク５００が形成される前に、本体ブランク５００に前もって作られる。図７で提案するように、厚い直立ステーブの第１のステーブ２６１は、ウェブ２５から内部領域１４の方へ上方に延在する右側縁部２６１Ｒを含むように構成される。厚い直立ステーブの第２のステーブ２６２は、ウェブ２５から内部領域１４の方へ上方に延在しかつ厚い直立ステーブの第１のステーブ２６１の右側縁部２６１Ｒと離間して向かい合うように配置される左側縁部２６２Ｌを含むように構成される。図７で提案するように、薄い直立ステーブの第１のステーブ２６０は、厚い直立ステーブの第１のステーブ２６１の右側縁部２６１Ｒと厚い直立ステーブの第２のステーブ２６２の左側縁部２６２Ｌを相互接続しかつ左および右側縁部２６２Ｌ、２６１Ｒと協働してそれらの間に垂直チャネル２６３を画成するように配置され、この垂直チャネルは、底面保持フランジ２６と、底面２０に含まれかつ底面保持フランジ２６の上方に位置する水平台２１とによって囲まれる下部内部領域２６４に内側に開口する。薄い直立ステーブの第１のステーブ２６０は、本体１１の選択された領域の第４の領域１０４に、より高い第１の密度を有する第１の材料セグメントを提供するように構成される。厚い直立ステーブの第１のステーブ２６１は、本体１１の選択された領域の第４の領域１０４に、より低い第２の密度を有する第２の材料セグメントを提供するように構成される。
【００２０】
図１、図３、図３Ａ、および図４に示す例示的実施形態では、本体１１のスリーブ状の側壁１８は一対のタブ５１４、５１２を含み、それらタブは互いに接して、切頭円錐形（ｆｒｕｓｔｏｃｏｎｉｃａｌ  ｓｈａｐｅ）の側壁１８を提供する。図４および図４Ｃに示すように、側壁１８の直立内側タブ５１４は、内部領域１４の一部分と境界を接する内表面５１４ｉと、直立外側タブ５１２の方に面する外表面５１４ｏとを含む。直立外側タブ５１２は、内部領域１４の方に向きかつ直立内側タブ５１４の外表面５１４ｏと接する内表面５１２ｉを含み、直立内側タブ５１４と直立外側タブ５１２との間に境界面Ｉを画成する。直立外側タブ５１２は、さらに、直立内側タブ５１４から見て外方に面する外層面５１２ｏを含む。図４Ｃで提案するように、直立内側および外側タブ５１４、５１２の内表面および外表面の各々は、水平断面において弓形形状を有し、かつ図４で提案するように、２０°未満の鋭角に相対する。
【００２１】
図４で提案するように、側壁１８の直立囲い５１３は、水平断面においてＣ字形状であり、および直立内側および外側タブ５１４、５１２の各々は、水平断面において弓形形状を有する。図４Ｃでは、直立囲い５１３は、直立左側縁部５１３Ｌと、直立左側縁部５１３Ｌと離間して向かい合うように配置された直立右側縁部５１３Ｒとを含む。直立外側タブ５１２は、より高い第１の密度を有しかつ同様により高い第１の密度によって特徴付けられる直立内側タブ５１４と接するように構成され、直立囲い５１３の直立左側縁部５１３Ｌと右側縁部５１３Ｒを相互接続するように配置されたブリッジすなわち橋絡部５１２、５１４を確立する。ブリッジ５１２、５１４は、より高い第１の密度を有する塑性的に変形した材料で形成される。
【００２２】
図４で一例として示す通り、側壁１８の直立囲い５１３は、内部領域１４の一部分と境界を接する内表面５１３ｉと、内部領域１４から見て外方を向きかつ直立囲い５１３の内表面５１３ｉを囲む外表面５１３ｏとを有する。外表面５１３ｏは直立囲い５１３の内表面５１３ｉと協働して、それらの間に第１の厚さＴ１を規定する。直立内側タブ５１４は、内部領域１４の一部分と境界を接する内表面５１４ｉと、直立外側タブ５１２の方に面する外表面５１４ｏとを含む。直立外側タブ５１２は、内部領域１４の方に向きかつ直立内側タブ５１４の外表面５１４ｏと接する内表面５１２ｉを含み、直立内側タブ５１４と直立外側タブ５１２との間に境界面Ｉを画成する。直立外側タブ５１２は、さらに、直立内側タブ５１４から見て外方に面する外層面５１２ｏを含む。直立内側タブ５１４の内表面および外表面は協働して、それらの間に、第１の厚さＴ１を下回る第２の厚さＴ２Ｉを規定する。直立外側タブ５１２の内表面および外表面は協働して、第１の厚さＴ１を下回る第３の厚さＴ２Ｏを規定する。
【００２３】
図１および図３Ｂで提案するように、本体１１のロール状の縁１６は、スリーブ状の側壁１８の上端に結合されて底面２０と離間し、かつ内部領域１４への開口部の縁を形作る。ロール状の縁１６のロール状の内側タブ１６４は、より高い第１の密度を有する塑性的に変形された第１の材料セグメントを提供しかつ向かい合う左および右側縁部を含むように構成される。ロール状の縁１６のロール状のリップ部１６３は、ロール状の内側タブ１６４の、向かい合う左側縁部と右側縁部を相互接続するように配置され、かつより低い第２の密度を有する第２の材料セグメントを提供するように構成される。図１で提案するように、ロール状の縁１６のロール状の外側タブ１６２は、ロール状の内側タブ１６４の外向きの面に結合されて、ロール状の内側タブ１６４を覆う外殻を提供し、この外殻は、より高い第１の密度を有する塑性的に変形した材料で形成される。ロール状の外側タブ１６２は、向かい合う左および右側縁部を含む。ロール状のリップ部１６３は、ロール状の外側タブ１６２の向かい合う左側縁部と右側縁部を相互接続するように配置される。ロール状のリップ部１６３は、水平断面においてＣ字形状である。ロール状の内側および外側タブ１６４、１６２の各々は、その向かい合う左側縁部と右側縁部との間に弓形形状を有し、円環形のロール状の縁１６を提供する。
【００２４】
図１、図３および図３Ｃで提案するように、本体１１の底面マウント１７は、スリーブ状の側壁１８の下端と底面２０とに結合されて、底面２０を、スリーブ状の側壁１８に対して静止位置に支持して、内部領域１４を形成する。図３Ｃで提案するように、底面マウント１７は、底面２０に結合された底面保持フランジ２６と、スリーブ状の側壁１８の下端に結合されかつ底面保持フランジ２６を囲むように配置されたウェブ支持リング１２６と、底面保持フランジ２６とウェブ支持リング１２６を相互接続するように配置された接続ウェブ２５とを含む。接続ウェブ２５は、より高い第１の密度を有する第１の材料セグメントを提供するように構成される。接続ウェブ支持リング１２６は、より低い第２の密度を有する第２の材料セグメントを提供するように構成される。接続ウェブ２５およびウェブ支持リング１２６の各々は円環形を有する。底面保持フランジ２６は円環形を有する。図３および図７で提案するように、底面保持フランジ２６、接続ウェブ２５、およびウェブ支持リング１２６の各々は、底面２０と接する内面を有する内側層と、内側層の外面と接する、重なり合う外側層とを含む。
【００２５】
例えば、図２および図３Ｃに示すように、断熱性カップ１０の底面２０は、内部領域１４の一部分と境界を接する水平台２１と、水平台２１に結合された台支持部材２３とを含む。図３および図７で提案するように、台支持部材２３はリング状であり、かつ水平台２１および内部領域１４から離れて下方に、底面保持フランジ２６と底面保持フランジ２６を囲むウェブ支持リング１２６との間に設けられた空間２７まで延在して、底面保持フランジ２６およびウェブ支持リング１２６の各々と接するように配置される。
【００２６】
Ｉ図３、図３Ｃ、および図３Ｄで提案するように、底面２０の台支持部材２３は円環形を有し、かつ底面保持フランジ２６を囲んで、水平台２１と接続ウェブ２５との間に設けられた環状空間に位置するように配置される。図３および図６で提案するように、底面保持フランジ２６、接続ウェブ２５、およびウェブ支持リング１２６の各々は、底面２０と接する内面を有する内側層と、内側層の外面と接する、重なり合う外側層とを含む。図３Ｃで提案するように、底面保持フランジ２６、ウェブ２５、およびウェブ支持リング１２６の各々の内側層は、台支持部材２３と接するように配置される。
【００２７】
図３、図３Ｃ、および図７で提案するように、底面マウント１７の底面保持フランジ２６は、スリーブ状の側壁１８に対して静止位置にありかつ底面２０に結合されるように配置され、底面２０を、スリーブ状の側壁１８に対して静止位置に保持する。図３および図３Ｃで提案するように、底面２０の水平台２１は、スリーブ状の側壁１８の内表面と接する外周縁部と、内部領域１４の一部分と境界を接する上向きの上面とを有する。
【００２８】
底面マウント１７の底面保持フランジ２６はリング状であり、かつ一連の交互に厚いおよび薄い直立ステーブを含み、これらステーブは、互いに左右に隣り合ってあり、水平台２１の下向きの下面の方へ上方に延在するように配置されている。厚い直立ステーブの第１のステーブ２６１は、水平台２１の下面の方へ上方に延在する右側縁部２６１Ｒを含むように構成される。厚い直立ステーブの第２のステーブ２６２は、左側縁部２６２Ｌを含むように構成され、この左側縁部は、水平台２１の下面の方へ上方に延在しかつ厚い直立ステーブの第１のステーブ２６１の右側縁部２６１Ｒと離間して向かい合うように配置される。図３Ｄ、図７、および図９で提案するように、薄い直立ステーブの第１のステーブ２６０は、左側縁部２６２Ｌと右側縁部２６１Ｒを相互接続しかつ左および右側縁部２６２Ｌ、２６１Ｒと協働してそれらの間に垂直チャネル２６３を画成するように配置され、この垂直チャネルは、水平台２１と底面保持フランジ２６とで囲まれる下部内部領域２６４に内側に開口する。薄いステーブの第１のステーブ２６０は、より高い第１の密度を有する第１の材料セグメントを提供するように構成される。厚いステーブの第１のステーブ２６１は、より低い第２の密度を有する第２の材料セグメントを提供するように構成される。
【００２９】
図３Ｃおよび図３Ｄで提案するように、底面マウント１７の底面保持フランジ２６は円環形を有し、かつ水平台２１の中心点を通る、垂直に延在する中心軸ＣＡを囲むように配置される。薄いステーブの第１のステーブ２６０は、下部内部領域を通過する、垂直に延在する中心軸ＣＡの一部分の方に面する内壁を有する。台支持部材２３は、底面保持フランジ２６を囲みかつ水平台２１と協働して、一連の交互に厚いおよび薄い直立ステーブを収容する下方に開口する底面チャンバ２０Ｃを形成するように配置される。
【００３０】
断熱気泡質の非芳香族ポリマー材料の各第１の材料セグメントは比較的薄い第１の厚さを有する。断熱気泡質の非芳香族ポリマー材料の、相手方の各第２の材料セグメントは、比較的厚い第２の厚さを有する。
【００３１】
図１２Ａに示すように、本体１１は、断熱気泡質の非芳香族ポリマー材料のシート１１Ｓから形成され、このシートは、例えば、断熱気泡質の非芳香族ポリマー材料の帯条片１１Ｓ１と、断熱気泡質の非芳香族ポリマー材料の帯条片１１Ｓ１の一面に結合されたスキン１１Ｓ２とを含む。本開示の一実施形態では、テキストおよびイラストまたはそれら双方を、スキン１１Ｓ２に含まれるフィルムに印刷できる。スキン１１Ｓ２は、さらに、フィルムに適用されたインク層を含み、フィルムと断熱気泡質の非芳香族ポリマー材料の帯条片との間にインク層を配置し得る。別の例では、スキンおよびインク層は、インク層と断熱気泡質の非芳香族ポリマー材料との間に位置するように配置された接着剤層によって、断熱気泡質の非芳香族ポリマー材料の帯条片に積層される。一例として、スキンは、ニ軸延伸ポリプロピレンとし得る。
【００３２】
断熱気泡質の非芳香族ポリマー材料は、例えば、高溶融強度を有するポリプロピレンベースの樹脂と、ポリプロピレンコポリマーおよびホモポリマー樹脂の一方または双方と、１種以上の気泡形成剤とを含む。一例として、気泡形成剤は、一次核生成剤と、二次核生成剤と、樹脂を膨張させて密度を低下させるためのガスによる手段によって規定された発泡剤とを含み得る。一例では、ガスによる手段は二酸化炭素を含む。別の例では、ベース樹脂は、二峰性ではなく単峰型分布によって特徴付けられる分子量分布が広範なポリプロピレンを含む。
【００３３】
例えば、図１に示すように、本開示の例示的な一実施形態による断熱性カップ１０は、内部領域１４を含むように形成されたベース１２と、ベース１２に結合されたロール状の縁１６とを含む。図１、図２、図３Ｃ、および図９に示すように、ベース１２は、側壁１８、支持構造１９、および底面２０を含む。底面２０は、支持構造１９と側壁１８とに結合され、内部領域１４を画成する。ベース１２は、内部領域１４に入っている飲料や食品を断熱するための手段を提供するように（圧力を加えることによって−熱を加えてまたは熱を加えずに）構成された断熱気泡質の非芳香族ポリマー材料を実例として含み、飲料や食品を支持しかつ変形および穿孔に対する耐性をもたらすのに十分な機械特性を有する構造を形成する。例えば図１６〜２０に示すように、断熱性カップ１０は、例示的カップ製造プロセス４０において形成される。
【００３４】
図３に示すように、側壁１８はロール状の縁１６と支持構造１９との間に延在する。側壁１８は、ロール状の縁１６に結合されたベース１２の上部２２と、支持構造１９に結合される底部２４とを含む。支持構造１９は、底面２０と側壁１８の底部２４を相互接続するように配置される。例示的実施形態では、図１２に示すように、縁１６、側壁１８、および支持構造１９は、単一の本体ブランク５００から形成される。断熱性カップ１０は、本体ブランク５００と底面２０とを含むアセンブリである。一例として、底面２０は、カップ製造プロセス４０の最中に底部２４と接して、それらの間に一次シールを形成する。支持構造１９と底面２０との間に二次シールも確立され得る。断熱性容器は、一次シールのみ、二次シールのみ、または一次シールと二次シールの双方を有して形成され得る。
【００３５】
再度図１を参照して説明すると、側壁１８の上部２２が、底面２０の方へ下向き２８に延在するように配置され、かつ底部２４に結合する。底部２４は、反対に、ロール状の縁１６の方へ上向き３０に延在するように配置される。上部２２は、カップ製造プロセス４０の最中にカールされてロール状の縁１６を形成する。ロール状の縁１６および上部２２は協働して口３２を形成し、この口は、内部領域１４に開口するように配置される。
【００３６】
図３に示すように、支持構造１９は、底面保持フランジ２６および接続ウェブ２５を含む。接続ウェブ２５は、側壁１８の底部２４に結合され、かつ底部２４から半径方向に離れて内部領域１４の方へ延在するように配置される。底面保持フランジ２６は、接続ウェブ２５に結合され、かつ底面２０および内部領域１４の方へ上向き３０に延在するように配置される。底面保持フランジ２６、接続ウェブ２５、および底部２４がともに協働して、それらの間に受け溜め２７を画成する。図３で提案するように、底面２０の一部分は、受け溜め２７まで下方に延在して底面保持フランジ２６と底部２４との間に保持されるように配置される。図３の例示的実施形態では、底面２０の台支持部材２３は、受け溜め２７まで完全に延在し、かつ接続ウェブ２５と接触する。
【００３７】
図３５および図３６に示す別の実施形態では、カップ７１０は断熱性カップ１０と同様であるが、底面７２０が、底面台７２１と、断熱性カップ１０の台支持部材２３よりも短い底面リング７２３とを含む。底面リング７２３は、保持フランジ７２６と接続ウェブ７２５と底部７２４との間に形成された受け溜め７２７まで完全には延在しない。この手法によって、底面リング７２３の長さ部分をしっかりと保持し、かつカップ製造プロセス４０の最中に干渉が生じる恐れを低減する必要がなく、カップ製造プロセス４０の最中に底面７２０を位置決めできる。
【００３８】
図１、図２、図３Ｃ、および図９に示すように、底面２０は、水平台２１および台支持部材２３を含む。水平台２１は、例えば、平坦な丸いディスクであり、側壁１８と協働して、それらの間に内部領域１４を画成する。台支持部材２３は、水平台２１の外周に結合され、かつ水平台２１から離れて受け溜め２７の方へかつそこまで下向き２８に延在するように配置される。その結果、水平台２１は、断熱性カップ１０が載置されるいずれの面からも離間する。
【００３９】
断熱性カップ１０を作製するために本開示に従って使用される断熱気泡質の非芳香族ポリマー材料の圧縮性によって、他のポリマー材料が経験するような制限を受けずに、断熱気泡質の非芳香族ポリマー材料を、断熱性カップ１０の機械的組立に対応できるように準備できる。本明細書で説明する断熱気泡質の非芳香族ポリマー材料の気泡性の性質によって、以下説明するような断熱性をもたらす一方、塑性変形に対する感受性があることによって、断熱気泡質の非芳香族ポリマー材料を破損なく、生産可能とする。断熱気泡質の非芳香族ポリマー材料の帯条片が圧力荷重を受けると生じる塑性変形を使用して、圧力荷重除去後にも断熱気泡質の非芳香族ポリマー材料に永久歪みを形成する。例示的実施形態では、いくつかの箇所において、永久歪みの箇所は、例えば、断熱気泡質の非芳香族ポリマー材料が制御式に集まるように位置決めされる。
【００４０】
また塑性変形を使用して、断熱気泡質の非芳香族ポリマー材料に折り目を形成して、カップ組立プロセスの最中に作業が行われいるときに材料の変形を制御するようにし得る。変形が存在する場合、変形によって形成されたボイド内に材料が存在しないことによって、変形箇所で容易に材料を折り畳むことを可能にする逃げ部を提供する。ここで図４Ａおよび図５を参照して説明すると、断熱気泡質の非芳香族ポリマー材料の２つの部分６０２と６０４との間の例示的な接合部６００は、境界面６０６を含む。境界面６０６は、部分６０２の表面６０８と部分６０４の表面６１０との間の接触面を含み、そこで、各表面が互いに接着して、部分６０２と６０４との間にシールおよび機械的インターロックを形成している。境界面は、各部分６０２および６０４の非芳香族ポリマー材料が互いに固定するように混ざり合ったメルトライン６１２を含む。
【００４１】
部分６０２は、実例として、非芳香族ポリマー材料６２４に囲まれた気泡６１４の構造を含み、気泡６１４は、例えばＣＯ2などのガスを含む発泡剤を包むように閉鎖している。ある個所６１６に圧力を加えると、気泡６１４のサイズが小さくなるために、気泡のサイズの小さい局所的な領域６１８、６２０、６２２が形成され、かつ非芳香族ポリマー材料６２４が流動して気泡６１４の形状を変更する。非芳香族ポリマー材料６２４の流動によって、例えば領域６２６および６２８などの変形されていない領域よりも、容積単位で多くの非芳香族ポリマー材料６２４が含まれることとなる。それゆえ、十分な荷重がかけられると、断熱気泡質の非芳香族ポリマー材料の厚さは薄くなり、かつ局所的な領域の密度が高くなる。
【００４２】
場合によっては、塑性変形は、力と熱の組み合わせによって達成される。断熱気泡質の非芳香族ポリマー材料の加熱は、材料を変形させるために必要な力を少なくし得る。局所的な加熱は軟化を生じ、それにより、より少ない力で塑性流動が可能になって、望ましい永久歪みが達成される。これにより、断熱気泡質の非芳香族ポリマー材料の局所的な領域において、より薄く密度の高い材料を達成するための、気泡の変形が可能になる。
【００４３】
例示的一実施形態では、本開示は、断熱気泡質の非芳香族ポリマー材料６２４に分散した独立気泡６１４を主に有する断熱気泡質の非芳香族ポリマー材料の帯条片６５２を提供し、これは、所与の材料厚さで、予想外の望ましい物理的特性を呈する。そのような特性は、例えば、断熱特性、強度／剛性特性、および耐穿孔特性を含む。例示的な材料は、例えば、断熱気泡質の非芳香族ポリマー材料シート、帯条片、チューブ、糸、ペレット、顆粒などの形態、または本明細書で説明するようなポリマーベースの配合物を、押出ダイを通して押し出す結果である他の構造で提供され得る。本明細書で説明するように、断熱気泡質の非芳香族ポリマー材料は、ニ軸延伸ポリプロピレンフィルム（すなわち、２つの異なる温度で行われる２つの連続的な延伸ステップを含む連続的な二軸延伸プロセスによって作製されたフィルム）と接続されて（ｍａｔｅ）、積層シートならびにカップまたは断熱性容器、ラップ、巻きロール材料などの様々な最終生産物を確立し得る。
【００４４】
図３７に示す一実施形態では、シート６５０は、断熱気泡質の非芳香族ポリマー材料６５２と、フィルム６５８、インク層６５６、および接着剤層６５４を含むスキンとを含む。一例として、インク層６５６は、スキンを断熱気泡質の非芳香族ポリマー材料６５２に接着させる前に、フィルム６５８に印刷され得る。図３７の例示的実施形態では、フィルム６５８はニ軸延伸ポリプロピレンフィルムを含む。
【００４５】
図３８に示す別の実施形態では、シート６６０はシート６５０と同様であるが、断熱気泡質の非芳香族ポリマー材料６５２の帯条片の両面に接着剤層６５４、インク層６５６、およびフィルム６５８を含む。他の実施形態では、１つまたは複数のインク層６５６を片面または両面で省略し得る。
【００４６】
例示的実施形態では、断熱性カップは、断熱性の材料から形成される構成部品から組み立てられる。断熱性の材料は、頑丈で剛性の気泡質の非芳香族ポリマー構造を含む。断熱気泡質の非芳香族ポリマー材料は、圧力荷重下で塑性的に変形可能であるため、材料は圧力荷重の除去後に永久歪みを生じて、断熱性カップの形成を容易にする構造上の特徴を生み出す。一部の実施形態では、折り畳み時または変形時における材料の秩序正しい集まりが、断熱気泡質の非芳香族材料の構造によって容易となる。例示的実施形態では、断熱気泡質の非芳香族ポリマー材料は可撓性があり、材料を破損させずに、カップを氷点下温度で使用できるようにする。本明細書では、用語非芳香族ポリマーは、ポリマー鎖において芳香族環構造（例えば、フェニル基）を欠いているポリマーを指す。
【００４７】
芳香族分子は、一般に、非芳香族分子と比べたときに高い疎水性を示す。その結果、ポリスチレンベースの断熱気泡ポリマー材料から、ポリプロピレンベースの断熱気泡ポリマー材料へ変更することにより、必ずしも予測可能でも望ましくもないが、得られる材料の表面吸着特性が変化することと併せて、疎水性が変化することが予想される。さらに、フェニル基に１つおきに炭素中心が付けられたポリスチレンの炭化水素鎖に起因して、隣接するフェニル基は、いわゆるπスタッキング（ポリスチレンおよび他の芳香族ポリマーの高い分子内強度（ｉｎｔｒａｍｏｌｅｃｕｌａｒ  ｓｔｒｅｎｇｔｈ）に寄与する機構である）で携わることができる。ポリプロピレンなどの非芳香族ポリマーに使用可能な、同様の機構はない。さらに、ポリスチレンとポリプロピレンの同様の化学反応性および耐化学性にもかかわらず、ポリスチレンは、製造時に熱硬化性または熱可塑性のいずれかとし得る一方、ポリプロピレンは、もっぱら熱可塑性である。その結果、表面吸着特性の範囲内において、ポリスチレンと同様の製造オプションおよび強度特性が模索され、ポリスチレンベースの断熱気泡ポリマー材料に適した代替物は、非芳香族ポリマーではなく別の芳香族ポリマーにおいて見出される。
【００４８】
例示的実施形態では、断熱気泡質の非芳香族ポリマー材料を、断熱気泡質の非芳香族ポリマー材料にフィルムが積層された複合材シートにおける基材として、使用する。フィルムは、基材に積層される前に裏面印刷されるため、印刷はフィルムを通して見ることができ、フィルムは、印刷を覆う保護カバーを形成する。
【００４９】
例示的実施形態では、断熱気泡質の非芳香族ポリマー材料は、１種以上のポリプロピレン材料をベース材料として含み得る。積層フィルムもポリプロピレンであるため、カップ全体が粉砕されて、同じプロセスにおいて再使用され得る。
【００５０】
実例として、例示的な一実施形態では、断熱気泡質の非芳香族ポリマー材料は、ポリプロピレンベースとしてもよく、および（ａ）少なくとも１種の高溶融強度ポリプロピレン樹脂を含む第１の材料；（ｂ）インパクトコポリマー（ｉｍｐａｃｔ  ｃｏｐｏｌｙｍｅｒ）および高結晶性ホモポリマーからなる群から選択された少なくとも１種のポリプロピレン樹脂を含む第２の材料；（ｃ）少なくとも１種の核形成剤；（ｄ）発泡剤；および（ｅ）スリップ剤を含む組成物から形成され得る。
【００５１】
例示的一態様では、ポリプロピレンベースの断熱気泡質の非芳香族ポリマー材料は、第１の材料すなわちベースポリマー樹脂として高溶融強度ポリプロピレンを含む。溶融強度、すなわち、張力実験における最大引落張力（ｄｒａｗｄｏｗｎ  ｆｏｒｃｅ）は、線状ポリプロピレンには実質的に存在しない。しかしながら、溶融強度は、長鎖分岐が存在することによって著しく高くなる。長鎖分岐を含む、得られる高溶融強度ポリプロピレンは、形成プロセス、熱成形プロセス、および押出プロセスに必要な加工性と高溶融弾性のバランスをとる。
【００５２】
好適な高溶融強度ポリプロピレンは、望ましいガス保持特性を有し、および断熱気泡質の非芳香族ポリマー材料に、望ましい気泡のサイズおよび滑らかな表面仕上げを与えるが、もしある場合には、容認可能な臭気も有する。好適な高溶融強度ポリプロピレン樹脂の例示的一例は、ＤＡＰＬＯＹ（商標）ＷＢ１４０ポリプロピレンホモポリマー（Ｂｏｒｅａｌｉｓ  Ａ／Ｓから入手可能）である：
【００５３】
【表１】
2014520044.tif 000003
【００５４】
別の例示的態様では、ポリプロピレンベースの断熱気泡質の非芳香族ポリマー材料は、ベースポリマー樹脂と組み合わせて使用される二次ポリマー樹脂を含む。二次ポリマーは、例えば、インパクトポリプロピレンコポリマー、高結晶性ポリプロピレンホモポリマーなど、ならびにそれらの混合物とし得る。インパクトポリプロピレンコポリマーの例示的一例は、ＰＲＯ−ＦＡＸ  ＳＣ２０４（商標）（ＬｙｎｄｅｌｌＢａｓｅｌｌ  Ｉｎｄｕｓｔｒｉｅｓ  Ｈｏｌｄｉｎｇｓ、Ｂ．Ｖ．から入手可能）として市販されている樹脂である。例示的なホモポリマーは、限定されるものではないが、Ｂｒａｓｋｅｍから入手可能なＨｏｍｏ  ＰＰ−ＩＮＳＰＩＲＥ  ２２２、およびＢｒａｓｋｅｍからＦ０２０ＨＣとして入手可能な高結晶性ポリプロピレンホモポリマーを含む。いくつかの異なる二次ポリマーを使用して、一緒に混合してもよい。
【００５５】
いくつかの代替的な例示的な実施形態では、二次ポリマーは、ポリエチレン、低密度ポリエチレン、線状低密度ポリエチレン、高密度ポリエチレン、エチレン−酢酸ビニルコポリマー、エチレン−エチルアクリレートコポリマー、エチレンーアクリル酸コポリマーおよび同様のポリマーとし得る。しかしながら、非ポリプロピレン樹脂材料の使用は、得られる断熱気泡質の非芳香族ポリマー材料のリサイクル性、断熱性、マイクロ波性（ｍｉｃｒｏｗａｖａｂｉｌｉｔｙ）、耐衝撃性、および／または他の特性に影響を及ぼし得る。
【００５６】
別の例示的態様では、ポリプロピレンベースの断熱気泡質の非芳香族ポリマー材料は、少なくとも１種の核形成剤を含む。１種以上の核形成剤を使用して、核形成部位を提供しかつそれを制御し、押出プロセスの最中の溶融樹脂における泡すなわちバブル、ボイドまたは気泡の形成を促進する。好適な核形成剤は、望ましい粒径、アスペクト比、およびトップカット（ｔｏｐ−ｃｕｔ）性を有する。例は、限定されるものではないが、タルク、ＣａＣＯ3、マイカ、および上記の少なくとも２種類の混合物を含む。
【００５７】
別の例示的態様では、ポリプロピレンベースの断熱気泡質の非芳香族ポリマー材料は、発泡剤を含む。発泡剤は、樹脂混合物にある気泡を膨張させるガスを取り込む。核形成剤は、比較すると、泡すなわちバブルが形成できる部位を提供することによって、気泡の形成を促進する。そのため、核形成剤と発泡剤が一緒に働いて、気泡形成剤を提供する。発泡剤は、溶融樹脂の気泡を膨張させることによって、密度を低下させるように作用する。発泡剤は、物理的変化を生じさせるものであっても、または化学薬品であってもよい。物理的変化を生じさせる発泡剤は、一般に、押出機にあるポートを介して溶融樹脂に取り込まれるガスである。ガス状発泡剤の代表例は、限定されるものではないが、二酸化炭素、窒素、ペンタン、ブタンまたは他のアルカン、ガスの混合物などを含む。あるいは、ガスは、Ｒ１３４ａとしても公知の１，１，１，２−テトラフルオロエタンなどのハイドロフルオロカーボン、または他のハロアルカン冷媒とし得る。発泡剤の選択は、環境影響を考慮して行われ得る。
【００５８】
化学発泡剤は特定の温度で品質低下するかまたは反応して、分解してガスを生成する。化学発泡剤は、吸熱性または発熱性とし得る。吸熱性化学発泡剤の例示的一例は、クエン酸またはクエン酸ベースの材料である。１つの代表例は、Ｈｙｄｒｏｃｅｒｏｌ（商標）ＣＦ−４０Ｅ（商標）（Ｃｌａｒｉａｎｔ  Ｃｏｒｐｏｒａｔｉｏｎから入手可能）である。化学発泡剤の追加的な例示的例は、限定されるものではないが、アゾジカーボンアミド；アゾジイソブチロ−ニトリル；ベンゼンスルホンヒドラジド（ｂｅｎｚｅｎｅｓｕｌｆｏｎｈｙｄｒａｚｉｄｅ）；４，４−オキシベンゼンスルホニルセミカルバジド（４，４−ｏｘｙｂｅｎｚｅｎｅ  ｓｕｌｆｏｎｙｌｓｅｍｉｃａｒｂａｚｉｄｅ）；ｐ−トルエンスルホニルセミ−カルバジド；アゾジカルボン酸バリウム；Ｎ，Ｎ’−ジメチル−Ｎ，Ｎ’−ジニトロソテレフタルアミド（Ｎ，Ｎ’−ｄｉｍｅｔｈｙｌ−Ｎ，Ｎ’−ｄｉｎｉｔｒｏｓｏｔｅｒｅｐｈｔｈａｌａｍｉｄｅ）；トリヒドラジノトリアジン；メタン；エタン；プロパン；ｎ−ブタン；イソブタン；ｎ−ペンタン；イソペンタン；ネオペンタン；フッ化メチル；ペルフルオロメタン；フッ化エチル；１，１−ジフルオロエタン；１，１，１−トリフルオロエタン；１，１，１，２−テトラフルオロ−エタン；ペンタフルオロエタン；ペルフルオロエタン；２，２−ジフルオロプロパン；１，１，１−トリフルオロプロパン；ペルフルオロプロパン；ペルフルオロブタン；ペルフルオロシクロブタン；塩化メチル；塩化メチレン；塩化エチル；１，１，１−トリクロロエタン；１，１−ジクロロ−１−フルオロエタン；１−クロロ−１，１−ジフルオロエタン；１，１−ジクロロ−２，２，２−トリフルオロエタン；１−クロロ−１，２，２，２−テトラフルオロエタン；トリクロロモノフルオロメタン；ジクロロジフルオロメタン；トリクロロトリフルオロエタン；ジクロロテトラフルオロエタン；クロロヘプタフルオロプロパン；ジクロロヘキサフルオロプロパン；メタノール；エタノール；ｎ−プロパノール；イソプロパノール；二酸化炭素；窒素；アルゴン；水；空気；窒素；ヘリウム；重炭酸ナトリウム；炭酸ナトリウム；重炭酸アンモニウム；炭酸アンモニウム；亜硝酸アンモニウム；Ｎ，Ｎ’−ジメチル−Ｎ，Ｎ’−ジニトロソテレフタルアミド；Ｎ，Ｎ’−ジニトロソペンタメチレンテトラミン；アゾジカーボンアミド；アゾビスイソブチロニトリル（ａｚｏｂｉｓｉｓｏｂｕｔｙｌｏｎｉｔｒｉｌｅ）；アゾシクロヘキシルニトリル（ａｚｏｃｙｃｌｏｈｅｘｙｌｎｉｔｒｉｌｅ）；アゾジアミノベンゼン（ａｚｏｄｉａｍｉｎｏｂｅｎｚｅｎｅ）；アゾジカルボン酸バリウム；ベンゼンスルホニルヒドラジド；トルエンスルホニルヒドラジド；ｐ，ｐ’−オキシビス（ベンゼンスルホニルヒドラジド）；ジフェニルスルホン−３，３’−ジスルホニルヒドラジド；カルシウムアジド；４，４’−ジフェニルジスルホニルアジド；およびｐ−トルエンスルホニルアジドを含む。
【００５９】
別の例示的態様では、ポリプロピレンベースの断熱気泡質の非芳香族ポリマー材料は、スリップ剤を含む。スリップ剤は、樹脂混合物に添加されて、いわゆる目ヤニを減らすかまたはなくす、一般的クラスの材料を説明するために使用される用語である。スリップ剤材料の代表例は、脂肪または脂肪酸、例えばエルカミドおよびオレアミドを含む。２種類以上のスリップ剤の組み合わせを使用できる。
【００６０】
実例として、ポリプロピレンベースの断熱気泡質の非芳香族ポリマー材料は、（ａ）少なくとも１種の高溶融強度ポリプロピレン樹脂を含む第１の材料を提供すること；（ｂ）インパクトコポリマーおよび高結晶性ホモポリマーからなる群から選択された少なくとも１種のポリプロピレン樹脂を含む第２の材料を提供すること；（ｃ）第１の樹脂と第２の樹脂を混合して樹脂混合物を形成すること；（ｄ）樹脂混合物に少なくとも１種の核形成剤を添加すること；（ｅ）樹脂混合物にスリップ剤を添加すること；（ｆ）樹脂混合物に、発泡剤として不活性ガスを添加すること；（ｇ）樹脂混合物を押し出して、内部に気泡を有する断熱気泡質の非芳香族ポリマー材料の混合物を形成すること；および（ｈ）断熱気泡質の非芳香族ポリマー材料の混合物の帯条片を形成することを含むプロセスによって、断熱気泡質の非芳香族ポリマー材料シートとして形成され得る。
【００６１】
例示的一態様では、断熱気泡質の非芳香族ポリマー材料シートとして形成された、例示的なポリプロピレンベースの断熱気泡質の非芳香族ポリマー材料の厚さは、約６０ミル〜約８０ミルの範囲とし得る。別の例示的態様では、断熱気泡質の非芳香族ポリマー材料シートとして形成された、例示的なポリプロピレンベースの断熱気泡質の非芳香族ポリマー材料の密度は、約０．１５ｇ／ｃｍ3〜約０．２０ｇ／ｃｍ3の範囲とし得る。断熱気泡質の非芳香族ポリマー材料は、カップ製造プロセス４０において、局所的な塑性変形領域を有する断熱性カップ１０を作製するために使用される。局所的な塑性変形領域は、断熱気泡質の非芳香族ポリマー材料を圧縮した結果のものとし得る。局所的な塑性変形領域は、約０．３ｇ／ｃｍ3〜約０．４ｇ／ｃｍ3の範囲の第１の密度を有する。局所的な塑性変形領域を囲む断熱気泡質の非芳香族ポリマー材料は圧縮されておらず、かつ約０．１５ｇ／ｃｍ3〜約０．２０ｇ／ｃｍ3の範囲の第２の密度を有する。
【００６２】
図１０および図１１で提案するように、断熱気泡質の非芳香族ポリマー材料の密度は、材料の厚さの変化に反比例している。一例として、材料厚さが半分に減らされる場合、圧縮された領域の密度は、約２倍となる。
【００６３】
別の例示的態様では、断熱気泡質の非芳香族ポリマー材料の帯条片として形成された、例示的なポリプロピレンベースの断熱気泡質の非芳香族ポリマー材料の、縦方向および横方向における引張強度は、それぞれ、約４．０ＭＰａ〜約７．０ＭＰａ、および約３．０ＭＰａ〜約６．０ＭＰａの範囲とし得る。別の例示的態様では、断熱気泡質の非芳香族ポリマー材料の帯条片として形成された、例示的なポリプロピレンベースの断熱気泡質の非芳香族ポリマー材料の、縦方向および横方向における弾性係数は、それぞれ、約１６０ＭＰａ〜約２４０ＭＰａ、および約１２０ＭＰａ〜約１７０ＭＰａの範囲とし得る。
【００６４】
別の例示的態様では、断熱気泡質の非芳香族ポリマー材料の帯条片として形成された、例示的な断熱気泡質の非芳香族ポリマー材料は、方向性の伸長された卵形の形状の気泡を有し得る。別の例示的態様では、断熱気泡質の非芳香族ポリマー材料の帯条片として形成された、例示的なポリプロピレンベースの断熱気泡質の非芳香族ポリマー材料は、縦方向６７において幅約０．０３６２インチ（０．９２ｍｍ）×高さ０．０１０６インチ（０．２７ｍｍ）の平均気泡寸法としてもよく、縦方向の気泡サイズのアスペクト比が約３．５となる。横方向の、すなわち縦方向６７を直交する平均気泡寸法は、幅約０．０２０４インチ（０．５２ｍｍ）×高さ約０．０１０６インチ（０．２７ｍｍ）であり、横方向の気泡サイズのアスペクト比が１．９４となる。その結果、発泡体の気泡のアスペクト比は、約１．０〜３．０である。別の例では、発泡体の気泡のアスペクト比は、約１．０〜約２．０である。
【００６５】
断熱気泡質の非芳香族ポリマー材料の帯条片８２を使用して断熱性カップ１０を形成する。図１に示すように、断熱性カップ１０は、例えば本体１１および底面２０を含む。本体１１は、側壁１８と、底面２０に結合されて、底面２０をスリーブ状の側壁１８に対して静止位置に支持する底面マウント１７とを含む。図３Ｃで提案するように、底面マウント１７は、底面２０に結合された底面保持フランジ２６と、スリーブ状の側壁１８の下端に結合されかつ底面保持フランジ２６を囲むように配置されたウェブ支持リング１２６と、底面保持フランジ２６とウェブ支持リング１２６を相互接続するように配置された接続ウェブ２５とを含む。
【００６６】
図７に示すように、底面保持フランジ２６は、内表面２６Ａおよび外表面２６Ｂを含む。内表面２６Ａは、台支持部材２３の方に面するように配置され、かつ外表面２６Ｂは、内表面２６Ａとは反対側に面するように配置される。底面保持フランジ２６は、さらに、外表面２６Ｂに形成された一連の離間した窪み５１８を含むように形成される。一例として、図１２に示すように、各窪み５１８は、中心５１０から生じる半径線に重なる長手方向軸を有し、線形である。別の例では、窪みは、角度が付けられても、ダイアモンド形状でも、または１つ以上のこれらの組み合わせでもよい。
【００６７】
図９Ｂ、図１０、図１１、および図１４に、断熱気泡質の非芳香族ポリマー材料に窪み５１８を形成して得られる効果を示す。窪み５１８は表面２６Ｂに形成され、かつ断熱気泡質の非芳香族ポリマー材料が永久歪みを生じて窪み５１８を形成するように断熱気泡質の非芳香族ポリマー材料が働くと、一部の気泡６３０が小さくなる。材料の流れの領域において材料６２４が流動して、気泡６３０の気泡壁６３２が薄くなる一方、スキン６３４はいくつかの領域において厚くなる。図１０および図１１の例示的実施形態では、窪み５１８を形成するツールが加熱されたため、材料６２４がある程度溶融し、それにより、肥厚領域６３４への流れが生じる。
【００６８】
図１、図２、および図３〜３Ｃに示すように、側壁１８は、図１６に示すカップ製造プロセス４０の例示的な実施形態の最中に、側壁シーム３４を含むように形成される。側壁１８は第１の壁厚さＴ１を有し、これは、底部２４および保持フランジ２６の双方に存在する。側壁１８は第２の壁厚さＴ２を有し、これは側壁シーム３４に存在する。図６に示すように、厚さＴ２は、カップ製造プロセス４０の最中に縁部（内側および外側タブ）５１４、５１２（図１２参照）を圧縮した結果、厚さＴ１にほぼ等しい。その結果、各タブ５１４、５１２は、厚さＴ１、Ｔ２の約５０％である第３の壁厚さＴ３を有する。接続ウェブ２５も、カップ製造プロセス４０の最中に圧縮した結果、例示的な第３の壁厚さＴ３を有する。一部の実施形態では、接続ウェブ２５は、厚さＴ３以外の異なる厚さを有してもよい。例えば、接続ウェブ２５の圧縮の程度は、縁部５１２および５１４の圧縮の程度と異なってもよい。同様に、縁部５１２および５１４の一方または他方の圧縮の程度は、適用条件に依存して、異なってもよい。
【００６９】
別の例示的な実施形態では、側壁は、第１および第２の縁部の周りで圧縮されない。その結果、厚さＴ２は、厚さＴ１より厚くなり得る。圧縮を行わない一例では、厚さＴ２は、厚さＴ１の約２倍とし得る。
【００７０】
別の例示的な実施形態では、縁部の一方だけを圧縮する。さらに、別の実施形態では、一方の縁部または両縁部の一部分を圧縮する。
【００７１】
図３および図３Ｂに示すように、側壁シーム３４は、ベース１２に沿って上方にロール状の縁１６まで続く。その結果、ロール状の縁１６は、第１の縁寸法Ｂ１と、側壁シーム３４に比較的同等の第２の縁寸法Ｂ２とを有する。縁における材料の厚さＢ３は、第１の壁厚さＴ１および第２の壁厚さＴ２の双方にほぼ等しい。図６に示すように、縁寸法Ｂ２は、カップ製造プロセス４０の最中に第１および第２の縁部５１２、５１４を圧縮する結果、縁寸法Ｂ１にほぼ等しい。その結果、ロール状の縁１６の各縁部５１２、５１４は、厚さＢ１、Ｂ２の約５０％である第３の縁厚さＢ３を有する。
【００７２】
第１および第２の縁部５１２、５１４を圧縮することによって、縁の幾何学的形状に関わらず、縁寸法Ｂ２を縁寸法Ｂ１に適合させることができる。下記でさらに詳細に説明するように、縁の形状は、他の実施形態における縁１６の幾何学的形状から変化し得る。縁１６は、飲むのに適した縁および密閉する縁の双方の機能を果たすように構成される。図６から分かるように、側壁１８の内表面１０８は、点１１２において縁１６の外径１１０に接線方向に交わる一方、外表面１０６は縁１６で終端する。移行点１１２は、仮に使用者が断熱性カップ１０から液体を飲む場合、縁１６を越える液体の流れをこぼしたり中断したりせずに、液体の流れを滑らかに移行させる。ここで図６Ａおよび図６Ｂを参照して説明すると、縁１６はまた、蓋１１６の保持部１１４と協働する働きをし、液体シールによって蓋１１６を断熱性カップ１０に固定するため、使用者は、蓋１１６と縁１６との間に液体を逃がさずに、蓋１１６の飲み口１１８を使用し得る。保持部１１４は、縁１６の直径の部分１１０に嵌って係合するため、蓋１１６のフランジ１２２が点１２０において直径１１０に係合して、蓋１１６を断熱性カップ１０に対して密閉する。
【００７３】
図３２〜３４においてロール状の縁の代替的な実施形態を開示し、および各実施形態はロール状の縁１６の代替としてもよい。例えば、図３２に示すロール状の縁１６Ａは、寸法Ｘ1、Ｘ2、およびＸ3がほぼ等しい一定の厚さの断熱気泡質の非芳香族ポリマー材料を有するが、縁の厚さＢ４は、断熱性カップ１０の縁の厚さＢ１よりも厚い。より厚みのある縁の厚さＢ４は、縁１６Ａの内部空間９００にクリアランスをもたらし、縁をロール状にする最中にクリアランスを与えることによって縁１６Ａの製造可能性を高める。
【００７４】
図３３に示すように、ロール状の縁１６Ｂの壁厚さＸ1は、縁をロール状にするプロセスの最中に減少されて薄くされ、それにより、Ｘ2における減少、およびＸ3におけるさらなる減少をもたらす。縁１６Ｂは、縁１６Ａよりも比較的製造するのが簡単であり、かつ縁の厚さＢ４とほぼ同じ縁の厚さＢ５の縁を提供するが、縁の高さＢ６は、Ｂ５よりも大きい。これにより、縁１６Ｂの内部空間９０４に追加的な逃げ部をもたらす。縁１６Ｂは、密閉のための追加的な接触域を提供するため、蓋と共に使用するのにより好適である。
【００７５】
さらに別の実施形態では、図３４に示すように、ロール状の縁１６Ｃは中実の縁に近く、第１の壁寸法Ｘ1がＸ2まで減少され、Ｘ3においてさらに減少され、およびＸ4およびＸ5においてそれ自体の周りでロール状にされた状態である。加熱および／または圧縮することによって、縁１６Ｃは、縁１６Ｃの内部空間に逃げ部がないため、高剛性の中実の縁構造を提供する。そのような縁は、飲むために好適であり、かつスナップ嵌め式の蓋、例えば蓋１１６を使用中に適所に維持するのを支援する剛性をもたらす。図３４の実施形態では、縁の厚さＢ７は、断熱性カップ１０の縁の厚さＢ１にほぼ等しい。
【００７６】
図１６〜２０で提案するように、側壁１８は、カップ製造プロセス４０の最中に本体ブランク５００を使用して形成される。本体ブランク５００は、断熱気泡質の非芳香族ポリマー材料の帯条片、図１６に示しかつ下記でさらに詳細に説明するような積層シート８０、または印刷済みの断熱気泡質の非芳香族ポリマー材料の帯条片から作製され得る。ここで図１２および図１３を参照して説明すると、本体ブランク５００は、第１の面５０２および第２の面５０４（図１２参照）を備え、全体的に平面的である。本体ブランク５００は、第１の縁部５０６を規定する外弧の長さＳ1および第２の縁部５０８を規定する内弧の長さＳ2を備える円形のリングセクタとして供される。弧の長さＳ1は、相対角（ｓｕｂｔｅｎｄｅｄ  ａｎｇｌｅ）Θ（ラジアン）×軸５１０から縁部５０６までの半径Ｒ1によって規定される。同様に、内弧の長さＳ2は、相対角Θ（ラジアン）×半径Ｒ2として規定された長さを有する。Ｒ1−Ｒ2の差は、２つの線形縁部５１２および５１４の長さである長さｈである。Ｒ1、Ｒ2およびΘの変化は、断熱性カップ１０のサイズの変化を生じ得る。第１の線形縁部５１２および第２の線形縁部５１４は、各々、中心５１０から生じるそれぞれの半径線に位置する。それゆえ、本体ブランク５００は２つの平面的な側面５０２および５０４、ならびに４つの縁部５０６、５０８、５１２、および５１４を有し、それらが本体ブランク５００の境界を規定する。縁部５１２および５１４は、下記で説明するような処理に対応しかつそれら加工を有し得る。
【００７７】
折り目５１６は、中心５１０と折り目５１６との間で測定された半径Ｒ３を有し、および折り目５１６は長さＳ3を有する。図１２に示すように、Ｒ1は、Ｒ3よりも相対的に長い。Ｒ3は、Ｒ2よりも相対的に長い。Ｒ1と、Ｒ2と、Ｒ3との差は、適用に依存して変化し得る。
【００７８】
図１２に示す折り目５１６は、本開示に従って塑性的に変形されて（圧力を加えることによって−熱を加えてまたは熱を加えずに）永久歪みを誘発し、密度を高くしかつ厚さを薄くした局所的な領域を生じた、断熱気泡質の非芳香族ポリマー材料の帯条片の選択された領域である。図１２に示すように、折り目５１６における断熱気泡質の非芳香族ポリマー材料の厚さは、約５０％薄くされている。さらに、ブランクは、アーチ形縁部５０８と折り目５１６との間にいくつもの窪み５１８またはリブ５１８が位置決めされるように形成されており、窪み５１８が、表面５３１に不連続性を形成している。各窪み５１８は、中心５１０から生じる半径線に重なる長手方向軸を有する線形である。上述の通り、窪み５１８は、底面保持フランジ２６を秩序正しく形成するのを促す。折り目５１６における厚さの薄い断熱気泡質の非芳香族ポリマー材料は、最終的に例示的な断熱性カップ１０における接続ウェブ２５の機能を果たす。上述の通り、接続ウェブ２５は、底面保持フランジ２６を内部領域１４の方へ内側に折ることを促す。例示的な本体ブランク５００を作製するために使用される断熱気泡質の非芳香族ポリマー材料の性質ゆえに、圧力を加えることにより−熱を加えてまたは熱を加えずに−折り目５１６および窪み５１８において材料の厚さを薄くすることによって、局所的に厚さが減少した箇所の断熱気泡質の非芳香族ポリマー材料の密度が高くなる。
【００７９】
図１３に示すように、各窪み５１８は、それぞれの隣接する窪みから第１の距離５５１離間している。例示的例では、第１の距離５５１は約０．０６７インチ（１．７０１８ｍｍ）である。各窪み５１８はまた、第１の幅５５２を有するように構成される。例示的例では、第１の幅５５２は約０．０２８インチ（０．７１１２ｍｍ）である。各窪み５１８はまた、折り目５１６から第２の距離５５３離間している。例示的例では、第２の距離５５３は約０．０３５インチ（０．８８９ｍｍ）である。
【００８０】
窪み５１８および折り目５１６は、本体ブランク５００を、断熱気泡質の非芳香族ポリマー材料の帯条片、積層シート８０、または印刷済みの断熱気泡質の非芳香族ポリマー材料の帯条片から裁断するダイによって形成され、かつこのダイは、パンチまたは突出部を含むように形成され、これらパンチまたは突出部は、裁断プロセスの最中に、特定の箇所において本体ブランク５００の厚さを減少させる。裁断および厚さ減少ステップは、図１７で提案するように別々に実施できる、同時に実施できる、または複数のステップを使用して材料を形成し得る。例えば、漸進的なプロセスでは、第１のパンチまたは突出部を使用して、第１の圧力荷重を加えることによって、厚さを、第１の量、低下させる。その後、第１の圧力荷重を上回る第２の圧力荷重で第２のパンチまたは突出部を適用できる。代替例では、第２の圧力荷重において第１のパンチまたは突出部を適用できる。任意の数のパンチまたは突出部が、適用に依存して様々な圧力荷重で適用され得る。
【００８１】
図７〜１１に示すように、窪み５１８は、台支持部材２３および水平台２１を支持する底面保持フランジ２６を制御式に集めることを可能にする。底面保持フランジ２６は、折り目５１６の辺りで曲がって受け溜め２７を形成し、折り目５１６は接続ウェブ２５を形成する。窪み５１８に材料がないことによって、断熱気泡質の非芳香族ポリマー材料が底面保持フランジ２６に形成される際に、逃げ部を提供する。この制御式に集めることを、逃げ部のない材料がより寸法の小さい構造に形成されるときに発生する材料の束と比較できる。例えば、伝統的な紙カップでは、保持フランジのタイプは、制御されずに集められるために、不連続面を有する。そのような表面は、通常二次作業工程で作業され、許容可能な見た目の面を提供するようにするか、または制御されない集まりは、さらに加工されることなく、劣った外観のままにされる。断熱気泡質の非芳香族ポリマー材料が、圧力を加えること（熱を加えてまたは熱を加えずに）に応答して、局所的なゾーンにおいて塑性変形の影響を受けやすく、優れた外観を達成するという点で、本開示による窪み５１８を形成する手法は本開示の断熱気泡質の非芳香族ポリマー材料の利点である。
【００８２】
再度図３５および図３６の実施形態を参照して説明すると、カップ７１０は断熱性カップ１０と同様であるが、カップ７１０は、断熱性カップ１０の表面２６Ａに対応する表面７２６Ａに形成された窪み７１８を備えて形成される。表面７２６Ａに形成されている窪み７１８は、滑らかで連続した表面７２６Ｂを残す。ここで図７Ａおよび図８を参照すると、カップ７１０が組み立てられるときの非芳香族ポリマー材料６２４の厚くなった部分および薄くなった部分ならびに気泡６１４の歪みを示すように撮影された、保持フランジ７２６および底部７２４と底面リング７２３の相互作用を示す。
【００８３】
製造方法の例示的一例として、断熱性カップ１０は、図１６〜２０に示すようなカップ製造プロセス４０に従って作製される。図１６および図１７に示すように、積層シート８０は、積層段階４４においてロール７８からスキン８４が積層される断熱気泡質の非芳香族ポリマー材料の帯条片８２で形成された複合材である。積層シート８０のロール８６はカップ形成段階４５に供給される。図１６に示すように、カップ形成段階４５は、実例として、本体ブランク形成ステップ４５１、任意選択的な本体ブランクアニーリングステップ４５１ａ、カップベース形成ステップ４５２、および縁形成ステップ４５３を含む。図１７に示すように、本体ブランク形成ステップ４５１では、積層シート８０を使用して本体ブランク９２を作製する。図１８に示すように、カップベース形成ステップ４５２では、底面ブランク９０を形成するための別の積層ロール８６によって提供された別の積層シート８０と共に側壁ブランク９２を使用し、側壁１８を形成して、側壁１８を底面２０に接合してベース１２を確立する。図１９で提案するように、縁形成ステップ４５３では、ベース１２の上部２２をロール状にして、ベース１２にロール状の縁１６を形成する。
【００８４】
断熱気泡質の非芳香族ポリマー材料の帯条片８２を含む積層シート８０の予想外の特性は、断熱性カップ１０などの丸みのある物品を形成するように曲げたときに、著しく滑らかで、折り目やしわのない表面を形成する能力である。表面１０６は、表面１０８のように滑らかでしわがない。本開示の表面１０６および１０８の滑らかさは、カップ製造プロセス４０の最中に伸展力および圧縮力を受けるときに自然に生じる折り目またはしわの深さが、ほとんどの場合１００ミクロン未満、さらには５ミクロン未満であることである。１０ミクロン未満では、折り目またはしわは裸眼では見えない。
【００８５】
本開示を進める間に、断熱性カップ１０の外周が、押し出された断熱気泡質の非芳香族ポリマー材料８２の縦方向６７と位置合わせされる場合、深さが２００ミクロンを超える深い折り目が、一般に表面１０８に形成されることが分かった。予想外にも、図１６に示すように断熱性カップ１０の外周が縦方向６７にほぼ垂直に位置合わせされる場合、表面１０８に深い折り目は形成されず、断熱性カップ１０の形成中、押し出された断熱気泡質の非芳香族ポリマー材料８２の縦方向６７に対する横方向６６は、圧縮力に耐性があることを示すことが分かった。これは、押し出された断熱気泡質の非芳香族ポリマー材料８２のポリマー鎖の向きの結果であり、ポリマー鎖は、縦方向６７に向けられ、かつ縦方向においてより密集していると考えられる。
【００８６】
図１７に示すように、本体ブランク形成ステップ４５１は、積層ロール装填ステップ４５１１、任意選択的なアニーリングステップ４５１１ａ、圧縮ステップ４５１２、裁断ステップ４５１３、スクラップを収集するステップ４５１４、およびブランクを積み重ねるステップ４５１５を含む。積層ロール装填ステップ４５１１では、積層ロール７６を、ダイカット機またはメタルオンメタルスタンピングマシン（ｍｅｔａｌ−ｏｎ−ｍｅｔａｌ  ｓｔａｍｐｉｎｇ  ｍａｃｈｉｎｅ）などの裁断機上に装填する。その結果、積層シート８０は、裁断機に引き込まれて加工される。任意選択的なアニーリングステップ４５１１ａでは、積層シート８０が裁断機を移動するときにそれを加熱するため、積層シート８０の非芳香族ポリマー構造の応力が解放されて、断熱性カップ１０の表面１０６および１０８の折り目およびしわを減少させる。圧縮ステップ４５１２では、積層シート８０の各部分を圧縮して圧縮シートを形成する。一例として、圧縮ステップ４５１２では、図１２に示すような折り目５１６および窪み５１８を形成する。裁断ステップ４５１３では、圧縮シートを裁断して、ブランクキャリアシート９４から本体ブランク９２を切り取る。スクラップを収集するステップ４５１４では、裁断ステップ４５１３の完了後にブランクキャリアシート９４を収集して、ブランクキャリアシート９４をリサイクルし得る。ブランクを積み重ねるステップ４５１５では、各本体ブランク９２を積み重ねて、図１９に示すようなカップベース形成ステップ４５２で使用するための本体ブランクスタック９５を形成する。
【００８７】
図１８に示すように、カップベース形成ステップ４５２は、本体ブランク装填ステップ４５２１Ａ、本体ブランクを加熱するステップ４５２２Ａ、本体ブランクを巻き付けるステップ４５２３Ａ、側壁を形成するステップ４５２４Ａ、積層ロール装填ステップ４５２１Ｂ、底面ブランクを裁断するステップ４５２２Ｂ、底面を付形するステップ４５２３Ｂ、底面を加熱するステップ４５２４Ｂ、本体を加熱するステップ４５２５Ａ、本体を巻き付けるステップ４５２６、および底面シーム形成ステップ４５２７を含む。本体ブランク装填ステップ４５２１Ａでは、さらに加工するために本体ブランクスタック９５をカップ成形機に装填する。本体ブランクを加熱するステップ４５２２Ａでは、本体ブランク９２に熱９６を加える。本体ブランクを巻き付けるステップ４５２３Ａでは、加熱された本体ブランク９２を、カップ成形機に含まれるマンドレルの周りに巻き付ける。側壁を形成するステップ４５２４Ａでは、カップ成形機に含まれる主および補助シームクランプを使用して側壁１８の各部分を圧縮することによって、側壁１８を形成する。主および補助シームクランプは局所的な圧縮をもたらし、これにより、図４に示すように、厚さＴ２を有する側壁１８のある部分と、厚さＴ１を有する別の部分とをもたらす。例として、厚さＴ２は、厚さＴ１にほぼ等しい。
【００８８】
積層ロール装填ステップ４５２１Ｂでは、別の積層ロール７６をカップ成形機に装填して、積層シート８０をカップ成形機に引き込んで加工するようにする。底面ブランクを裁断するステップ４５２２Ｂでは、積層シート８０を裁断して、ブランクキャリアシート９４から底面ブランク９０を切り取る。その後、ブランクキャリアシート９４が収集されてリサイクルされ得る。底面を付形するステップ４５２３Ｂでは、底面ブランク９０をカップ成形機のマンドレルに挿入することによって底面２０を形成する。底面を加熱するステップ４５２４Ｂでは、本体を加熱するステップ４５２５Ａで側壁１８に熱９６を加えるのと同時に、底面２０に熱９６を加える。本体を巻き付けるステップ４５２６では、底面２０の台支持部材２３の周りに支持構造１９を巻き付ける。底面シーム形成ステップ４５２７では、底面２０および側壁１８を圧縮して、底面２０と側壁１８との間に底面シームまたはシールを確立して、ベース１２を確立し、図１９に示すような縁形成ステップ４５３の準備が整う。
【００８９】
カップベース形成ステップ４５２では、有利には、熱成形プロセスと比較すると、側壁１８の厚さＴ１を維持する。熱成形プロセスにおいて断熱気泡質の非芳香族ポリマー材料を加熱してマンドレル上で加工するのではなく、得られるカップの壁の各部分を薄くし、かつその断熱特性および構造特性を潜在的に低下させることから、カップベース形成ステップ４５２は、側壁１８全体を溶融温度にさらす必要のない組立プロセスである。これは、側壁１８の厚さＴ１における一貫性を維持し、それにより、深絞り熱成形プロセスを行う器と比較して、一貫して優れた断熱特性を維持するという利点をもたらす。
【００９０】
図１９に示すように、縁形成ステップ４５３は、カップベースを移送するステップ４５３１、任意選択的な上部を潤滑にするステップ４５３２、上部を加熱するステップ４５３３、および上部をロール状にするステップ４５３４を含む。カップベースを移送するステップ４５３１では、ベース１２をカップベース成形機から縁成形機へ移送する。上部を潤滑にするステップ４５３２では、ベース１２の上部２２を潤滑にする。上部を加熱するステップ４５３３では、ベース１２の上部２２に熱９６を加える。上部をカールさせるステップ４５３４では、内部領域１４から離れるように上部２２をカールさせてロール状の縁１６を確立し、断熱性カップ１０を形成する。
【００９１】
図２０に示すように、カップ梱包段階４６は、漏れ検査ステップ４６１、カップを積み重ねるステップ４６２、およびカップを梱包するステップ４６３を含む。漏れ検査ステップ４６１では、縁形成ステップ４５３の最中に形成された各断熱性カップ１０を漏れに関し検査する。漏れ検査に不合格となるカップは、断熱気泡質の非芳香族ポリマー材料からそれらのカップを形成するゆえに、収集されてリサイクルされる。漏れ検査に合格するカップは、カップを積み重ねるステップ４６２において積み重ねられて、断熱性カップのスタック９８を形成する。図２０に示すように、カップを梱包するステップ４６３では、保管、使用、または輸送のために断熱性カップのスタック９８を保管する。
【００９２】
上記では、圧力荷重（熱を加えてまたは熱を加えずに）にさらされて塑性変形の影響を受けて、本開示の断熱気泡質の非芳香族ポリマー材料が永久歪みを生じる材料の能力を説明したが、図２１および図２２に、本体ブランク８００の別の実施形態を示す。本体ブランク８００は、２つの薄くされた領域８０２および８０４が本体ブランク８００に形成されて、縁１６などの縁がカップでロール状にされる際に材料の重なった部分に逃げ部を提供するときに、開示の断熱気泡質の非芳香族ポリマー材料の特性を利用する。本体ブランク８００は、薄くされた領域８０２および８０４が追加された状態で、本体ブランク５００と同様である。図２１に示すように、領域８０２および８０４は厚さが約５０％薄くされているため、カップが本体ブランク８００から形成される際に、領域８０２および８０４が重なり合う縁の厚さは、重なり合っていない領域とほぼ同じである。
【００９３】
別の実施形態では、図２３および図２４に示すように、本体ブランク８２０は、本体ブランク８２０の線形の辺８２６および８２８に沿って薄くされた領域８２２および８２４を含む。薄くされた領域８２２および８２４は、厚さが約５０％だけ薄くされているため、カップ製造プロセス４０の最中に薄くされた領域８２２および８２４が重なり合うと、重なり合ったシームの厚さは、壁ブランク８２０から形成されたカップの側壁の残りの部分とほぼ同じである。
【００９４】
さらに別の実施形態では、図２５〜２７に示すように、カップ８３０は、いくつものリブ８３４を含むように形成された側壁８３２を含み、これらリブは、側壁８３２の薄くされた領域８３８から延在する。本体ブランク８３６は、領域８３８、８４０、８４２、および８４４において薄くされているため、リブ８３４は、薄くされた領域８３８、８４０、８４２、および８４４から離れるように延在する。リブ８３４は、カップ８３０を保持する使用者の手と側壁８３２の残りの部分との間に空隙または空間をもたらし、接触面積を小さくする。リブ８３４はまた、カップ８３０に配置されたスリーブ（図示せず）によって接触され、薄くされた領域８３８、８４０、８４２、および８４４とスリーブとの間に空隙をもたらして、使用者の手に対し断熱し得る。
【００９５】
さらに別の実施形態では、図２８に示すカップ８５０は、図２９に示す壁ブランク８５６の各部分を、図３０および図３１で提案するように変位させることによって側壁８５４に形成されたリブ８５２を含む。先の実施形態では、断熱気泡質の非芳香族ポリマー材料は、塑性的に変形されて永久歪みを形成して、厚さを薄くされた。例示的なカップ８５０では、断熱気泡質の非芳香族ポリマー材料の帯条片が圧力荷重の作用を受けて、図３０および図３１で提案するように材料が移動するように作用するときに、材料が荷重から逃れて移動し、断熱気泡質の非芳香族ポリマー材料の帯条片は、一面に窪み８６４をおよび対向する面に突出するリブ８５２を形成するように変形する。断熱気泡質の非芳香族ポリマー材料の帯条片は変形して、領域８５８のある部分はある程度薄くなる一方、変位された壁８６０の厚さは側壁８５４の厚さ８６２とほぼ等しいままである。突出部８５２は、カップ８３０に関して上述のリブ８３４と同様の目的を果たす。突出部８５２の利点は、側壁８５４の厚さはほぼ一定のままであるが、壁の厚さ全体の断熱特性およびリブの利点を提供し続けることである。
【００９６】
本明細書で説明する実施形態は、未加工の断熱気泡質の非芳香族ポリマー材料、または本明細書で説明するような断熱気泡質の非芳香族ポリマー材料を使用する複合材を任意に変形して形成し得る。これは、片面または両面をポリマーフィルムで積層する実施形態を含む。
【００９７】
カップ形成プロセスの別の例示的な実施形態では、上記で説明したカップ製造プロセス４０は、基材にフィルム層を積層しないことによって、修正される。その結果、フィルム層を完全に省略して、断熱気泡質の非芳香族ポリマー材料の層に直接印刷を行ってもよい。
【００９８】
本開示の材料はまた、他の構造に巻き付けることができる変形可能なシートに形成し得る。例えば、この材料のシートは、断熱性を高めるために、パイプ、導管または他の構造の周りに形成されて巻き付けられ得る。
【００９９】
本開示の例示的な実施形態による断熱気泡質の非芳香族ポリマー材料で形成された断熱性カップの潜在的な特徴は、カップの、材料の無駄が少ないことである。さらに、本開示の材料は、従来の台所タイプの電子レンジからの熱を、数分までの期間受けるときに、著しく排ガス量を低くし得る。
【０１００】
本開示による断熱気泡質の非芳香族ポリマー材料で形成された断熱性カップの別の潜在的な特徴は、顕著な構造上のまたは材料の破壊や材料特性への悪影響なく、カップを従来の住宅用または市販の食洗機の洗浄サイクル（上部ラック）に配置してかけることができる。これは、同様の洗浄プロセス下で破壊し得るビーズの発泡ポリスチレンカップまたは容器と比較される。従って、本開示の一態様に従って作製されるカップは、洗浄して再使用できる。
【０１０１】
本開示の様々な態様に従って断熱気泡質の非芳香族ポリマー材料で形成された断熱性カップの別の潜在的な特徴は、断熱性カップおよびスクラップ材料をリサイクルできることである。リサイクル可能は、材料の構成成分を分離させずに、材料を押出または他の形成プロセスに戻す（粉砕再生材料など）ことができることを意味する。一例として、断熱気泡質の非芳香族ポリマー材料で形成された断熱性カップは、押出プロセスに再び入れる前に、１種以上の材料または構成成分を除去する操作を行う必要がない。
【０１０２】
別の例では、断熱気泡質の非芳香族ポリマー材料の外面に印刷済みのフィルムスキンが積層されたシートから形成された断熱性カップは、断熱性カップが粒子に粉砕される前に、フィルム層を切り離す必要がない場合、リサイクル可能とし得る。対照的に、紙が巻き付けられた発泡ポリスチレンカップは、リサイクル不可能とし得る。なぜなら、ポリスチレン材料は、カップの材料が別の生産物に形成される可能性があっても、発泡ポリスチレンカップの形成において材料として使用することが現実的にできないためである。
【０１０３】
別の例として、印刷済みのフィルムの層が接着された非発泡ポリスチレン材料から形成された断熱性カップは、リサイクル不可能とみなされ得る。なぜなら、フィルム層を分離する必要があり、これは、粉砕再生材料の一部として押出プロセスに投入するのに望ましくないためである。本開示の断熱気泡質の非芳香族ポリマー材料を使用して形成される物品のリサイクル性は、生み出されるごみの量を最小限にする。比較すると、それゆえ、ビーズに分解されるビーズの発泡ポリスチレンカップは、通常、物品が形成されたのと同じ材料を用いる製造プロセスにおいて、容易には再使用できない。さらに、一般に、液体抵抗のために押出被覆のプラスチック層またはプラスチックの積層を有する紙カップは、通常、リサイクルできない。なぜなら、異なる材料（紙、接着剤、フィルム、プラスチック）は、通常、商用のリサイクリング作業では現実的に分離できないためである。
【０１０４】
本開示の一態様（非積層プロセス）による断熱気泡質の非芳香族ポリマー材料で形成された断熱性カップの潜在的な特徴は、断熱気泡質のポリプロピレンシートの壁表面の外側（または内側またはそれら双方）（用いられる製造プロセスに依存して、断熱性カップに形成される前、またはカップ形成の最中）は、高解像度のグラフィックスの印刷に対応できる。対照的に、ビーズの発泡ポリスチレンカップの表面は、一般に、低解像度のグラフィックス以外の印刷に対応するほど十分に滑らかではない。ビーズの発泡ポリスチレンカップのように、被覆されていない紙カップの表面も、一般に、そのような高解像度のグラフィックスに十分な滑らかさではない。紙カップは、断熱性レベルに達するのが困難であり、および断熱性を達成するように、紙カップに組み込まれてまたは関連付けられて設計された空隙を必要とする。そのような設計の空隙は、紙カップの一部分上にわたって摺動するスリーブによって、もたらされ得る。
【０１０５】
本開示の一態様による断熱気泡質の非芳香族ポリマー材料で形成された断熱性カップの潜在的な特徴は、剛性で測定すると予想外の強度を持つことである。剛性は、室温および高温（例えば、カップを熱い液体で満たすことによって）で行われる測定であり、材料の剛性を測定する。カップ材料の強度は、使用者がカップを取り扱うときのカップの変形を最小限にするために重要である。
【０１０６】
本開示による断熱気泡質の非芳香族ポリマー材料で形成された断熱性カップの潜在的な特徴は、断熱性カップが、下記で説明するように、標準的な衝撃試験で測定されるように、例えばストロー、フォーク、スプーン、指の爪などによる穿孔に耐性があることである。試験材料は、ビーズの発泡ポリスチレンカップと比較したときに、実質的により高い耐衝撃性を実証した。その結果、本開示による断熱性カップは、穿孔および熱い液体の漏れの可能性を最小限にし得る。
【０１０７】
本開示の断熱性カップ１０は、断熱性能、リサイクル性への備え、高品質のグラフィックス、耐化学性、耐穿孔性、耐破砕性（ｆｒａｎｇｉｂｉｌｉｔｙ  ｒｅｓｉｓｔａｎｃｅ）、耐汚染性、マイクロ波性、および上記で説明するような飲料カップの内部領域に保管される生産物への望ましくない物質に関する耐浸出性の特徴の全てではないが多くを含む、器に対する長年のニーズを満たす。他のものは、添付の特許請求の範囲にある通りのこれらの特徴の組み合わせを達成する器の提供に失敗した。この失敗は、多くの特徴が、競合する設計選択に関連付けられている結果である。一例として、他のものは、断熱されてはいるものの、耐穿孔性が劣り、マイクロ波性がなく、かつ内部領域に保管された生産物に望ましくない物質を浸出させる、設計選択に基づいた器を形成した。比較すると、断熱性カップ１０は、断熱気泡質の非芳香族ポリマー材料を使用することによって、他のものの失敗を打開している。本書において、そのような断熱気泡質の非芳香族ポリマー材料に関連する開示のための２０１２年６月７日出願の米国特許出願第          号明細書（ＰＯＬＹＭＥＲＩＣ  ＭＡＴＥＲＩＡＬ  ＦＯＲ  ＡＮ  ＩＮＳＵＬＡＴＥＤ  ＣＯＮＴＡＩＮＥＲ）を参照し、この出願全体を本書に援用する。
【実施例】
【０１０８】
実施例
以下の実施例は、説明のためのものにすぎない。そのような実施例に現れる部およびパーセンテージは、別段の定めがある場合を除き、重量によるものである。参照されるＡＳＴＭ、ＩＳＯ、および他の標準的な試験方法の引用、および本開示で参照する他の試験法は全て、それら全体が本書に援用される。
【０１０９】
実施例１−配合および押出
ＤＡＰＬＯＹ（商標）ＷＢ１４０  ポリプロピレンホモポリマー（Ｂｏｒｅａｌｉｓ  Ａ／Ｓから入手可能）をポリプロピレンベースの樹脂として使用した。Ｂｒａｓｋｅｍから入手可能なＦ０２０ＨＣのポリプロピレンホモポリマー樹脂を二次樹脂として使用した。これら２種類の樹脂を：一次核生成剤としてＨｙｄｒｏｃｅｒｏｌ（商標）ＣＦ−４０Ｅ（商標）、二次核生成剤としてタルク、発泡剤としてＣＯ2、スリップ剤、および着色剤として二酸化チタンとブレンドした。パーセンテージは以下の通りであった：
７９．９％  一次樹脂：高溶融強度ポリプロピレン  Ｂｏｒｅａｌｉｓ  ＷＢ１４０  ＨＭＳ１５％
二次樹脂：Ｆ０２０ＨＣ（Ｂｒａｓｋｅｍ）
０．１％  一次核形成剤：Ｃｌａｒｉａｎｔ  Ｈｙｒｏｃｅｒｏｌ  ＣＦ−４０Ｅ（商標）
２％  二次核形成剤：タルク
１％  着色剤：ＴｉＯ2  ＰＥ（あるいは、ＰＰを使用できる）
２％  スリップ剤：Ａｍｐａｃｅｔ（商標）  １０２８２３  ＬＬＤＰＥ（線状低密度ポリエチレン）、Ａｍｐａｃｅｔ  Ｃｏｒｐｏｒａｔｉｏｎから入手可能
【０１１０】
配合物は、押出機ホッパーに加えられた。押出機は配合物を加熱し、溶融樹脂混合物を形成した。この混合物に、以下のものが添加された：
１．１ポンド／時でＣＯ2
０．７ポンド／時でＲ１３４ａ
【０１１１】
Ｒ１３４ａと共に二酸化炭素を樹脂ブレンドに注入し、樹脂を膨張させ、かつ密度を低下させた。そのように形成された混合物を、ダイヘッドを通してシートに押し出した。その後、シートを裁断して、カップに形成した。
【０１１２】
実施例１−試験結果
実施例１に従って形成された材料の試験結果は、材料の密度が０．１９０２ｇ／ｃｃ、および公称シートゲージが０．０８９インチであったことを示した。
【０１１３】
マイクロ波性
この材料を使用して作製され、１２オンスの室温の水で満たされた容器は、燃焼したり、焼けたりまたはカップに他の目に見える影響がない状態で、ＦＩＳＯ  Ｍｉｃｒｏｗａｖｅ  Ｓｔａｔｉｏｎ（１２００ワット）の電子レンジで２．５分間加熱された。比較すると、同じ電子レンジで加熱された紙カップは、９０秒未満で焼けたかまたは燃焼した。
【０１１４】
剛性
試験方法
サンプルは、７３°Ｆおよび５０％の相対湿度にあった。カップのスチフネス／剛性試験では、荷重計を含む水平力ゲージによって、以下の試験条件にさらされたときのカップの耐性の測定を実施した：（ａ）カップの試験箇所は、カップのへりから１／３下方であった。（ｂ）試験する移動距離は、１／４インチである。（ｃ）試験する移動時間は１０秒であった。
【０１１５】
試験結果
平均壁厚さ０．０６４インチ、平均密度０．１７７６ｇ／ｃｃ、および平均カップ重量９．８６ｇの場合の材料の剛性を、下記の表１〜２に示す。
【０１１６】
【表２】
2014520044.tif 000004
【０１１７】
【表３】
2014520044.tif 000005
【０１１８】
【表４】
2014520044.tif 000006
【０１１９】
断熱性
試験方法
以下の典型的な工業カップ断熱性試験方法を使用した：
・接着剤で（カップ外面）表面温熱電対をカップに取り付ける。
・取り付けられた熱電対をカップにセロハンテープで貼り付けて、熱電対を、シームに対向するカップの中央にする。
・電子レンジなどで水または他の水性液体をほぼ沸騰するまで加熱する。
・液体の温度を観察しながら熱い液体を球温度計で継続的に撹拌する。
・熱電対の温度を記録する。
・液体が２００°Ｆになったら、カップにほぼ満杯になるまで注ぐ。
・カップに蓋を載せる。
・表面温度を最低でも５分間記録する。
【０１２０】
上述の配合物から形成されたカップは、密度０．１９０２ｇ／ｃｍ3および壁厚さ０．０８９インチ（２．２６０６ｍｍ）を有して使用された。２００°Ｆ（９３．３℃）の熱い液体をカップに入れた。
【０１２１】
試験結果
カップの外壁で測定した温度は、約１４０．５°Ｆ（６０．３℃）であった、すなわち、５９．５°Ｆ（３３℃）低下していた。５分間の期間にわたって、最高温度は、１４０．５°Ｆ（６０．３℃）でピークを観察した。
【０１２２】
温度が低いほど、材料が液体からカップ材料の外面への熱伝達を低下させているため、カップ材料の断熱特性は良好である。
【０１２３】
壊れやすさ
壊れやすさは、破砕の原因となる引裂または穿孔に対する耐性と定義できる。
【０１２４】
試験方法
ＡＳＴＭ  Ｄ１９２２−９３に説明されているエルメンドルフ試験方法を使用した。引裂の半径は１．７インチであった。
【０１２５】
試験結果
試験結果は、下記の表３〜４に示す。本開示の例示的な一実施形態において形成されたような材料は、ＥＰＳと比較したときの引裂力に対する耐性が優れている。
【０１２６】
【表５】
2014520044.tif 000007
【０１２７】
【表６】
2014520044.tif 000008
【０１２８】
ＥＰＳに関する横断方向試験のデータは得られなかったことに留意されたい。なぜなら、ＥＰＳは、それ自体が材料の向き、すなわち、縦方向または横断方向を有しないためである。本開示の試験材料のレンジ（低いレンジ＝平均−（３×標準偏差）；高いレンジ＝平均＋（３×標準偏差）として計算される）は、縦方向において２１３−３５１ｇ−ｆ、および横断方向において１４３−２８１ｇ−ｆであった。比較すると、試験された発泡ポリスチレン材料のレンジは、１０３−１２１ｇ−ｆであった。
【０１２９】
耐穿孔性
試験方法
カップ側壁および底部を穿孔するのに必要な力および移動距離を決定する。１０インチ／分の移動速度に設定された圧縮モードにおいて、Ｉｎｓｔｒｏｎ機器を使用する。Ｉｎｓｔｒｏｎのベース上のカップ穿孔試験装置を使用する。この試験装置は、カップを、Ｉｎｓｔｒｏｎ試験機の移動方向に垂直な最も外側の面を有するカップの内側に適合する形状に上側から適合させることを可能にする。試験装置の１インチの直径の穴を、上方に位置決めする必要がある。Ｉｎｓｔｒｏｎの動く部分は、０．３００インチ（７．６２ｍｍ）直径のパンチを備える必要がある。穴付きパンチは、試験装置に整列している。カップは、試験装置に置かれ、かつカップ側壁を穿孔するのに必要な力および移動距離を記録する。側壁穿孔試験を３つの等間隔の位置で繰り返す一方、カップのシームには穿孔試験を行わない。カップの底部を試験する。これは、試験装置を使用しないことを除いて、側壁試験と同じ方法で行う必要がある。カップは、パンチをカップの底部の中心に下げる間、Ｉｎｓｔｒｏｎのベースにちょうど逆さまにして置く。
【０１３０】
試験結果
典型的な側壁穿孔および底部の穿孔の力曲線および図を、下記の表５に示す。
【０１３１】
【表７】
2014520044.tif 000009
【０１３２】
緩慢な穿孔−ストロー
試験方法
本開示の例示的な一実施形態において形成されたような材料は、ＡＳＴＭ  Ｄ−３７６３−８６に説明されているような緩慢な穿孔に対する耐性の試験方法を使用してＥＰＳと比較するとき、穿孔に対する耐性が優れている。試験結果を下記の表６〜９に示す。
【０１３３】
【表８】
2014520044.tif 000010
【０１３４】
【表９】
2014520044.tif 000011
【０１３５】
【表１０】
2014520044.tif 000012
【０１３６】
【表１１】
2014520044.tif 000013
【０１３７】
実施例２−配合および押出
以下の配合を使用した：
８１．７０％  Ｂｏｒｅａｌｉｓ  ＷＢ１４０ＨＭＳ  一次ポリプロピレン
０．２５％  Ａｍｃｏ  Ａ１８０３５  ＰＰＲＯ  タルク充填濃縮物
２％  Ａｍｐａｃｅｔ  １０２８２３  Ｐｒｏｃｅｓｓ  Ａｉｄ  ＰＥ  ＭＢ  線状低密度ポリエチレンスリップ剤
０．０５％  Ｈｙｄｒｏｃｅｒｏｌ  ＣＦ−４０Ｅ  化学発泡剤
１％  Ｃｏｌｏｒｔｅｃｈ  １１９３３−１９  着色剤
１５％  Ｂｒａｓｋｅｍ  Ｆ０２０ＨＣ  高結晶性ホモポリマーポリプロピレン
３．４  ポンド／時でＣＯ2が溶融樹脂に投入された。
形成されたシートの密度は、０．１５５〜０．１８２ｇ／ｃｃの範囲であった。
【０１３８】
配合物を押出機ホッパーに加えた。押出機は配合物を加熱して、溶融樹脂混合物を形成した。この混合物にＣＯ2を添加して、樹脂を膨張させ、かつ密度を低下させた。そのように形成された混合物を、ダイヘッドを通して帯条片に押し出した。その後帯条片を裁断してカップに形成した。
【０１３９】
実施例２−試験結果
剛性
試験方法
試験方法は、実施例１の剛性試験の説明と同じである。
【０１４０】
試験結果
剛性試験結果を下記の表１０に示す。
【０１４１】
【表１２】
2014520044.tif 000014
【０１４２】
断熱性
試験方法−壁の温度
上述の配合物から形成されたカップは、密度０．１８ｇ／ｃｍ3および壁厚さ０．０７４インチ（１．８７９６ｍｍ）を有して使用した。２００°Ｆ（９３．３℃）の熱い液体をカップに入れた。
【０１４３】
試験結果
カップの外壁で測定した温度は、約１５１°Ｆ（６６．１℃）であった、すなわち、４９．０°Ｆ（２７．２℃）低下していた。５分間の期間にわたっての最高温度は、１５１°Ｆ（６６．１℃）でピークが観察された。
【０１４４】
熱伝導率の形態の断熱性試験を行った。
【０１４５】
熱伝導率
試験方法
この試験は、周囲温度および９３℃で測定したバルク熱伝導率（Ｗ／ｍ−Ｋ）を測定する。ＩＳＯ／ＤＩＳ  ２２００７−２．２の試験方法を用い、かつ低密度／高断熱性オプションを使用して、ＴｈｅｒｍＴｅｓｔ  ＴＰＳ  ２５００  Ｓ  Ｔｈｅｒｍａｌ  Ｃｏｎｓｔａｎｔｓ  Ａｎａｌｙｚｅｒ機器を使用した。Ｋａｐｔｏｎ（登録商標）断熱材を備えるＴＰＳセンサー＃５５０１（半径６．４０３ｍｍ）を全測定に使用した。０．０２ワットの電力を使用して２０秒間の試験を行った。点１００〜２００を使用するデータを報告した。
【０１４６】
試験結果
試験結果を下記の表１１に示す。
【０１４７】
【表１３】
2014520044.tif 000015
【０１４８】
本開示は、容器に関する。非限定的な説明のみのために、例示的な実施形態においてカップを説明している；しかしながら、容器は、任意の様々な考えられる器の形状または構造において、または例えば限定されるものではないが、従来の飲料カップ、貯蔵容器、ボトルなどの様々な応用のために、供し得る。非限定的な説明のみのために、容器に入れられ得る材料として液体飲料を使用する；しかしながら、本開示による容器は、液体、固体、ゲル、これらの組み合わせ、食料品、または他の材料を保持し得る。
【０１４９】
本開示による器の形成方法は、器の側壁用のブランクを形成するステップと、ブランクの第１および第２の部分を加熱するステップと、第１の部分と第２の部分が重なり合うようにブランクを巻き付けるステップと、側壁を形成するように第１および第２の部分を固定するためにそれらの部分を加熱しながら、重なり合った部分を圧縮するステップとを含み得る。ブランクは、密度の高い領域がブランクに形成されてブランクに窪みを画成する状態で、密度が不均一である断熱気泡質の非芳香族ポリマー材料を含み得る。
【０１５０】
一部の実施形態では、器の形成方法は、器の底面用の底面ブランクを形成し、かつ底面ブランクを、細長い壁の第１の端部に隣接させて配置するステップと、底面ブランクを側壁に固定するステップと、底面ブランクを側壁に固定するステップの前に底面ブランクを加熱するステップと、底面ブランクを側壁に固定するステップの前に、底面ブランクに接触する側壁の部分を加熱するステップとを含み得る。一部の実施形態では、器の形成方法は、底面ブランクと側壁の部分とに圧力を加えて、底面ブランクによって細長い壁の一部分を固定するステップを含み得る。
【０１５１】
一部の実施形態では、器の形成方法は、底面ブランクに係合する側壁の部分を変位させて、側壁の部分を底面ブランクの一部分に巻き付けるステップを含み得る。一部の実施形態では、器の形成方法は、側壁の一部分を圧縮し、圧縮された部分の局所的な密度を高めて、側壁の変位した部分が変位される折り目を規定するステップを含み得る。
【０１５２】
一部の実施形態では、器の形成方法は、側壁用のブランク全体を加熱して、ブランクをアニーリングするステップと、ブランクの第１および第２の部分を加熱するステップの前に、ブランクを冷却できるようにするステップとを含み得る。一部の実施形態では、器の形成方法は、断熱気泡質の非芳香族ポリマー材料と、断熱気泡質の非芳香族ポリマー材料に接着された少なくとも１つのポリマーフィルムとを含む複合材を形成するステップと、複合材から、器の細長い壁用のブランクを形成するステップとを含み得る。
【０１５３】
一部の実施形態では、少なくとも１つのポリマーフィルムは、ニ軸延伸ポリプロピレンを含み得る。一部の実施形態では、器の形成方法は、側壁用のブランクを形成する前に、複合材を加熱して、ニ軸延伸ポリプロピレンフィルムの応力を解放するステップを含み得る。一部の実施形態では、器の形成方法は、ブランクを側壁に固定する前に、底面ブランクに接着剤を塗布するステップを含み得る。
【０１５４】
一部の実施形態では、器の形成方法は、底面ブランクを細長い壁に固定する前に、底面ブランクに接触する細長い壁の部分に接着剤を塗布するステップと、底面ブランクと側壁の部分とに圧力を加えて、底面ブランクによって細長い壁の部分を固定するステップと、底面ブランクに係合する細長い壁の部分を変位させて、細長い壁の部分を、底面ブランクの一部分の周りに巻き付けるステップと、細長い壁の一部分を圧縮し、圧縮された部分の局所的な密度を高めて、細長い壁の変位した部分が変位される折り目を画成するステップとを含み得る。
【図１】
2014520044.tif 000016
【図１Ａ】
2014520044.tif 000017
【図２】
2014520044.tif 000018
【図３】
2014520044.tif 000019
【図３Ａ】
2014520044.tif 000020
【図３Ｂ】
2014520044.tif 000021
【図３Ｃ】
2014520044.tif 000022
【図３Ｄ】
2014520044.tif 000023
【図４】
2014520044.tif 000024
【図４Ａ】
2014520044.tif 000025
【図４Ｂ】
2014520044.tif 000026
【図４Ｃ】
2014520044.tif 000027
【図５】
2014520044.tif 000028
【図６】
2014520044.tif 000029
【図６Ａ】
2014520044.tif 000030
【図６Ｂ】
2014520044.tif 000031
【図７】
2014520044.tif 000032
【図７Ａ】
2014520044.tif 000033
【図８】
2014520044.tif 000034
【図９】
2014520044.tif 000035
【図９Ａ】
2014520044.tif 000036
【図９Ｂ】
2014520044.tif 000037
【図１０】
2014520044.tif 000038
【図１１】
2014520044.tif 000039
【図１２Ａ】
2014520044.tif 000040
【図１２Ｂ】
2014520044.tif 000041
【図１２Ｃ】
2014520044.tif 000042
【図１３】
2014520044.tif 000043
【図１４】
2014520044.tif 000044
【図１５】
2014520044.tif 000045
【図１６】
2014520044.tif 000046
【図１７】
2014520044.tif 000047
【図１８】
2014520044.tif 000048
【図１９】
2014520044.tif 000049
【図２０】
2014520044.tif 000050
【図２１】
2014520044.tif 000051
【図２２】
2014520044.tif 000052
【図２３】
2014520044.tif 000053
【図２４】
2014520044.tif 000054
【図２５】
2014520044.tif 000055
【図２６】
2014520044.tif 000056
【図２７】
2014520044.tif 000057
【図２８】
2014520044.tif 000058
【図２９】
2014520044.tif 000059
【図３０】
2014520044.tif 000060
【図３１】
2014520044.tif 000061
【図３２】
2014520044.tif 000062
【図３３】
2014520044.tif 000063
【図３４】
2014520044.tif 000064
【図３５】
2014520044.tif 000065
【図３６】
2014520044.tif 000066
【図３７】
2014520044.tif 000067
【図３８】
2014520044.tif 000068
【国際調査報告】
2014520044.tif 000069
2014520044.tif 000070
2014520044.tif 000071
2014520044.tif 000072
2014520044.tif 000073
2014520044.tif 000074